(57)【要約】　　　（修正有）【課題】揚送装置と発射装置との同期のズレを伴う遊技球の発射の不具合（不能）を確実に防止することのできる弾球遊技機を提供すること。【解決手段】遊技球を貯留する打球貯留部２０３と、遊技球の揚送装置４００と、発射装置５００とを備える弾球遊技機２において、揚送装置は、揚送部材４０３と揚送駆動部４１０と揚送部材基準位置検出手段４４０とを備えるとともに、発射装置は、遊技球を発射するための発射部材５０３と発射駆動部５１１と発射部材基準位置検出手段４５０とを備え、電源の投入に基づいて、揚送部材の基準位置の検出並びによる発射部材の基準位置の検出を行い、揚送部材と発射部材とを各々の基準位置に停止させた後、所定の発射操作に応じて、発射位置への揚送部材による遊技球の揚送と発射部材による発射動作とが同期するように、揚送駆動部並びに発射駆動部による揚送部材と発射部材の駆動制御を行う駆動制御手段２９１を備える。【選択図】　　図３
2004121734.tif 000002
【特許請求の範囲】
【請求項１】
遊技に使用する遊技球を貯留するための打球貯留部と、該打球貯留部に貯留されている遊技球を発射位置へ揚送する揚送装置と、弾球遊技機の上部側方位置に設けられ、該揚送装置にて前記発射位置に揚送された遊技球を遊技盤上に形成された遊技領域内に打ち出すための発射装置と、を備える弾球遊技機において、
前記揚送装置は、前記遊技球を該遊技球に当接して揚送するための揚送部材と、該揚送部材を駆動するための揚送駆動部と、該揚送駆動部による駆動における前記揚送部材の基準位置を検出するための揚送部材基準位置検出手段と、を備えるとともに、
前記発射装置は、前記揚送装置から供給された遊技球を発射するための発射部材と、該発射部材を駆動するための発射駆動部と、該発射駆動部による駆動における前記発射部材の基準位置を検出するための発射部材基準位置検出手段と、を備え、
電源の投入に基づいて、前記揚送部材基準位置検出手段による揚送部材の基準位置の検出並びに前記発射部材基準位置検出手段による発射部材の基準位置の検出を行い、前記揚送部材と前記発射部材との位置を前記揚送部材と発射部材との各々の基準位置となるようにした後、所定の発射操作に応じて、前記発射位置への揚送部材による遊技球の揚送と前記発射部材による発射動作とが同期するように、前記揚送駆動部並びに前記発射駆動部による前記揚送部材と前記発射部材の駆動制御を行う駆動制御手段を備えることを特徴とする弾球遊技機。
【請求項２】
前記発射装置は、前記発射部材を前記発射駆動部による回転駆動により揺動駆動するためのカム部材を備え、前記発射部材基準位置検出手段は、前記カム部材の基準位置を検出する構成とされている請求項１に記載の弾球遊技機。
【請求項３】
前記揚送装置は、前記打球貯留部に貯留された遊技球を、前記発射装置における発射動作に同期して前記揚送部材に対し供給するように、前記揚送駆動部により駆動される揚送球供給部材を備え、前記揚送部材基準位置検出手段は、前記揚送球供給部材の基準位置を検出する構成とされている請求項１または２に記載の弾球遊技機。
【請求項４】
前記駆動制御手段は、前記発射駆動部並びに前記揚送駆動部による前記発射部材及び前記揚送部材の所定量の駆動実施において、前記発射部材基準位置検出手段或いは前記揚送部材基準位置検出手段のいずれかが基準位置を検出しなかったときに、該基準位置の検出異常を報知するための基準位置検出異常報知手段を備える請求項１〜３のいずれかに記載の弾球遊技機。
【請求項５】
前記駆動制御手段は、前記発射装置並びに揚送装置の動作中において、前記発射部材基準位置検出手段或いは前記揚送部材基準位置検出手段による基準位置の検出に基づいて、前記発射部材と前記揚送部材との同期を監視し、該駆動制御手段の監視において同期していないことが検出されたときに、前記発射駆動部並びに前記揚送駆動部を停止させる異常停止手段を備える請求項１〜４のいずれかに記載の弾球遊技機。
【請求項６】
前記駆動制御手段は、前記異常停止手段によって前記発射駆動部並びに前記揚送駆動部を停止させた後に、前記揚送部材基準位置検出手段による揚送部材の基準位置の検出並びに前記発射部材基準位置検出手段による前記発射部材の基準位置の検出に基づき、前記揚送部材と前記発射部材とを、再度前記揚送部材と前記発射部材との各々の基準位置に停止させた後、前記揚送部材と前記発射部材の駆動を再開させる補整手段を備える請求項５に記載の弾球遊技機。
【請求項７】
前記駆動制御手段は、前記補整手段によって前記揚送部材基準位置検出手段或いは前記発射部材基準位置検出手段のいずれかの基準位置の検出が、前記発射駆動部並びに前記揚送駆動部による前記発射部材及び前記揚送部材の所定量の駆動実施において検出されないときに、基準位置の検出異常を報知するための同期異常報知手段を備える請求項６に記載の弾球遊技機。
【発明の詳細な説明】
【０００１】
【発明の属する技術の分野】
本発明は、遊技盤の盤面上に形成された遊技領域内に、弾球遊技機の上部側方位置から遊技球を打ち出して遊技を行う弾球遊技機に関する。
【０００２】
【従来の技術】
従来、前記遊技盤の盤面上に形成された遊技領域内に、該遊技盤の上部側方位置から遊技球を打ち出して遊技を行う弾球遊技機としては、遊技盤の上部側方（向かって左側）位置に、発射装置を設け、該発射装置に対して打球供給皿に貯留されている遊技球を、スプロケットにて揚送管内に数珠つなぎ状態に送り出すことで揚送し、供給するものがある。（特許文献１参照）
【０００３】
これら遊技盤の上部側方位置から遊技球を打ち出して遊技を行う弾球遊技機は、発射装置を遊技機の下方位置のハンドル近傍に有するものに比較して、発射レールの設置等の制約を受けることがないため、遊技盤の大きさ、特には縦方向の大きさを大きくでき、近年における遊技盤のほぼ中央部位置に設けられている可変表示装置である液晶パネルの大型化にあって、これら液晶パネルの大型化による遊技盤形成への制約を解消することが可能となることから、その有用性が高まってきている。
【０００４】
しかしながら、前記した弾球遊技機の上部側方位置から遊技球を打ち出して遊技を行う弾球遊技機は、遊技者の発射操作に基づき、弾球遊技機の上部側方位置に設けられた発射装置に対し、遊技機の下方位置に設けられた打球貯留部に貯留されている遊技球をスプロケットにて揚送管内に数珠つなぎ状態に送り出すことで揚送し、供給するものであるため、遊技終了時において、これら揚送管内に残留する遊技球を遊技客に返却する機構を設ける必要があり、機構が複雑化してしまうという問題があることから、本発明者らは、前記揚送装置として、揚送部材としてスクリューを用いたスクリュー揚送装置を用い、遊技球を１球１球、単独にて揚送することで、該揚送装置の揚送経路中に残留する遊技球を大幅に低減し、遊技球の返却機構を必要としない弾球遊技機を提案している。（特許文献２参照）
【０００５】
【特許文献１】
特開昭５８−１６３３８８号公報　（第３頁、第７図）
【特許文献２】
特願２００２−１４０６４２号　（第７−９頁、第１２図）
【０００６】
【発明が解決しようとする課題】
しかしながら、これら遊技球を１球１球、間歇揚送する弾球遊技機にあっては、前記揚送装置が、発射装置と動作に合わせて遊技球を供給する必要があるため、揚送装置と発射装置とを同期させる必要が生じるが、電源投入時等において、これら揚送装置と発射装置との同期にズレが生じていると、前記発射装置への遊技球の供給が良好になされず、発射が不能になる場合があるという問題があった。
【０００７】
よって、本発明は上記した問題点に着目してなされたもので、揚送装置と発射装置との同期のズレを伴う遊技球の発射の不具合（不能）を確実に防止することのできる弾球遊技機を提供することを目的としている。
【０００８】
【課題を解決するための手段】
前記した問題を解決するために、本発明の弾球遊技機は、遊技に使用する遊技球を貯留するための打球貯留部と、該打球貯留部に貯留されている遊技球を発射位置へ揚送する揚送装置と、弾球遊技機の上部側方位置に設けられ、該揚送装置にて前記発射位置に揚送された遊技球を遊技盤上に形成された遊技領域内に打ち出すための発射装置と、を備える弾球遊技機において、
前記揚送装置は、前記遊技球を該遊技球に当接して揚送するための揚送部材と、該揚送部材を駆動するための揚送駆動部と、該揚送駆動部による駆動における前記揚送部材の基準位置を検出するための揚送部材基準位置検出手段と、を備えるとともに、
前記発射装置は、前記揚送装置から供給された遊技球を発射するための発射部材と、該発射部材を駆動するための発射駆動部と、該発射駆動部による駆動における前記発射部材の基準位置を検出するための発射部材基準位置検出手段と、を備え、
電源の投入に基づいて、前記揚送部材基準位置検出手段による揚送部材の基準位置の検出並びに前記発射部材基準位置検出手段による発射部材の基準位置の検出を行い、前記揚送部材と前記発射部材との位置を前記揚送部材と発射部材との各々の基準位置となるようにした後、所定の発射操作に応じて、前記発射位置への揚送部材による遊技球の揚送と前記発射部材による発射動作とが同期するように、前記揚送駆動部並びに前記発射駆動部による前記揚送部材と前記発射部材の駆動制御を行う駆動制御手段を備えることを特徴としている。
この特徴によれば、起動時等において、前記揚送部材と発射部材とが予め定められた駆動開始位置に停止した後、同期して連動するように駆動が開始されるようになるため、揚送装置と発射装置との同期のズレが生じず、遊技球の発射の不具合（不能）を確実に防止することができる。
【０００９】
本発明の弾球遊技機は、前記発射装置は、前記発射部材を前記発射駆動部による回転駆動により揺動駆動するためのカム部材を備え、前記発射部材基準位置検出手段は、前記カム部材の基準位置を検出する構成とされていることが好ましい。
このようにすれば、前記カム部材は、発射部材の１サイクルの発射動作にて１回転することから、該カム部材の近傍に発射部材基準位置検出手段を設けることで、該発射動作の特定の位置を一義的に基準位置にできることから、これら基準位置を容易に検出できる。
【００１０】
本発明の弾球遊技機は、前記揚送装置は、前記打球貯留部に貯留された遊技球を、前記発射装置における発射動作に同期して前記揚送部材に対し供給するように、前記揚送駆動部により駆動される揚送球供給部材を備え、前記揚送部材基準位置検出手段は、前記揚送球供給部材の基準位置を検出する構成とされていることが好ましい。
このようにすれば、揚送部材基準位置検出手段を、前記発射装置における１サイクルの発射動作に同期して前記揚送部材に対し遊技球を供給するように駆動される揚送球供給部材の近傍に設けることで、前記発射動作における基準位置に対応する特定の位置を基準位置にできるとともに、該基準位置を一義的かつ容易に検出できる。
【００１１】
本発明の弾球遊技機は、前記駆動制御手段は、前記発射駆動部並びに前記揚送駆動部による前記発射部材及び前記揚送部材の所定量の駆動実施において、前記発射部材基準位置検出手段或いは前記揚送部材基準位置検出手段のいずれかが基準位置を検出しなかったときに、該基準位置の検出異常を報知するための基準位置検出異常報知手段を備えることが好ましい。
このようにすれば、前記基準位置の検出異常を容易に認識でき、迅速な対応ができる。
【００１２】
本発明の弾球遊技機は、前記駆動制御手段は、前記発射装置並びに揚送装置の動作中において、前記発射部材基準位置検出手段或いは前記揚送部材基準位置検出手段による基準位置の検出に基づいて、前記発射部材と前記揚送部材との同期を監視し、該駆動制御手段の監視において同期していないことが検出されたときに、前記発射駆動部並びに前記揚送駆動部を停止させる異常停止手段を備えることが好ましい。
このようにすれば、前記同期異常状態における前記発射駆動部並びに前記揚送駆動部の駆動継続により、前記発射装置或いは揚送装置が損傷することを回避できる。
【００１３】
本発明の弾球遊技機は、前記駆動制御手段は、前記異常停止手段によって前記発射駆動部並びに前記揚送駆動部を停止させた後に、前記揚送部材基準位置検出手段による揚送部材の基準位置の検出並びに前記発射部材基準位置検出手段による前記発射部材の基準位置の検出に基づき、前記揚送部材と前記発射部材とを、再度前記揚送部材と前記発射部材との各々の基準位置に停止させた後、前記揚送部材と前記発射部材の駆動を再開させる補整手段を備えることが好ましい。
このようにすれば、前記同期異常を検出した場合でも、再度同期を迅速に回復することができ、遊技への影響を最小限に抑えることができる。
【００１４】
本発明の弾球遊技機は、前記駆動制御手段は、前記補整手段によって前記揚送部材基準位置検出手段或いは前記発射部材基準位置検出手段のいずれかの基準位置の検出が、前記発射駆動部並びに前記揚送駆動部による前記発射部材及び前記揚送部材の所定量の駆動実施において検出されないときに、基準位置の検出異常を報知するための同期異常報知手段を備えることが好ましい。
このようにすれば、前記同期異常の発生を容易に認識でき、迅速な対応ができる。
【００１５】
【発明の実施形態】
以下、図面に基づいて本発明の実施形態を説明する。
（実施例）
本実施例の弾球遊技機であるパチンコ機２は、該パチンコ機２の側部位置に１対１にて配置される遊技用装置であるカードユニット３とともに、図示しない遊技島の前後面に複数並設されて使用される。
【００１６】
これらパチンコ機２並びにカードユニット３が並設される遊技島の内部には、前記各パチンコ機２にパチンコ玉を供給する供給樋や、前記各パチンコ機２にて使用され、排出されたパチンコ玉を集めて前記供給樋に揚送する揚送装置等（図示略）が設けられているとともに、高さ方向略中央部には前記各カードユニット３より排出された紙幣を所定方向島端に設けられた回収ボックス（図示略）に搬送可能な紙幣搬送路（図示略）や、同様に前記各カードユニット３より排出された硬貨及びプリペイドカードを前記所定方向島端の回収ボックスに混合搬送可能な混合搬送路（図示略）が設けられている。
【００１７】
本実施例の弾球遊技機であるパチンコ機２を図に基づいて説明すると、該パチンコ機２は、図１に示すように、額縁状に形成されたガラス扉枠２０２を有し、該ガラス扉枠２０２の下部前面には、図４に示すように、貸し出された球並びに払い出された賞球を貯留するための打球貯留部としての打球供給皿２０３があり、これら打球供給皿２０３とガラス扉枠２０２とは一体とされていて、遊技機枠２０１に対して開放可能に軸支されて設けられている。打球供給皿２０３の上面所定箇所には、操作部１４が設けられているとともに、打球供給皿２０３の下部には、打球供給皿２０３から溢れた賞球を貯留する余剰玉受皿２０４と打球を発射する打球操作ハンドル２０５とが設けられている。尚、図１中の２４１は、前記打球供給皿２０３を含むガラス扉枠２０２を開放操作するためのシリンダ錠である。
【００１８】
この操作部１４には、図４に示すように、遊技者により前記カードユニット３に設けられた後述するカード挿入口３１４に挿入された遊技用記録媒体であるプリペイドカードより読み出された遊技用価値である度数を表示する度数表示部１７と、遊技の開始または前記打球供給皿２０３に持玉が少なくなったか無くなった際に押圧操作されて、前記度数表示部１７に残度数が存在する場合に所定数量のパチンコ玉の貸出を実施するための貸出ボタン１６と、遊技を終了する際に押圧操作されることにより、前記カードユニット３に挿入されているプリペイドカードに新たな残度数が記録されて返却がなされる返却ボタン１５と、が設けられており、これら各部は操作部１４内部に設けられている操作基板１８上に実装されている。
【００１９】
次いで、前記ガラス扉枠２０２の内方には、図３に示すように、遊技機枠２０１に遊技盤２０６が着脱可能に取り付けられているとともに、該遊技盤２０６の向かって左側方上部位置には、該遊技盤２０６に向けてパチンコ球を発射するための発射装置５００と、前記打球供給皿２０３に貯留されているパチンコ球を該発射装置５００に揚送するための揚送装置としての揚送ユニット４００とが設けられており、前記打球供給皿２０３の下部位置には、該打球供給皿２０３に貯留されているパチンコ球を整列して揚送ユニット４００の下部ユニット４０１に繋がるクランク流路４１６並びに連結流路４１５に供給するように設けられた誘導傾斜樋２８３が設けられていて、打球供給皿２０３に貯留されているパチンコ球が該誘導傾斜樋２８３に、誘導傾斜樋流入口２３０（図４参照）から流入し、該誘導傾斜樋２８３を流下し、前記クランク流路４１６並びに連結流路４１５を通過して揚送ユニット４００の下端位置に設けられている下部ユニット４０１に供給され、該揚送ユニット４００にて発射装置５００に揚送、供給されて前記遊技盤２０６の前面に形成された遊技領域２０７に打ち出されるようになっており（図１７参照）、本実施例では、前記ガラス扉枠２０２の開放により、前記クランク流路４１６と連結流路４１５との間にて、流路が分離されるようになっている。
【００２０】
また、前記揚送ユニット４００を構成する揚送通路の側方位置には、前記発射装置５００にて打ち出されたが、発射勢いが弱いために前記遊技領域２０７に到達しなかったファール球を流下させるためのファール球流路２９５が設けられており、該ファール球流路２９５の下端部には、後述する賞球通路２７３に繋がるファール球流入口２８８が設けられており、前記ファール球が該ファール球流路２９５、ファール球流入口２８８、賞球通路２７３を通じて打球供給皿２０３或いは余剰玉受皿２０４に返却されるようになっている。（図１８参照）
【００２１】
また、揚送ユニット４００を構成する揚送通路内にパチンコ球を供給する下部ユニット４０１の直近位置となる前記連結流路４１５の上流位置、つまりは、ガラス扉枠２０２の開放により分離されて離脱する部分には、クランク流路４１６、誘導傾斜樋２８３並びに前記打球供給皿２０３に停留するパチンコ球（待機球）を、前記余剰玉受皿２０４に流下させるための抜き取り手段としての待機球返却部４２０が設けられており、図１並びに図２０に示すように、該待機球返却部４２０に対応する位置となる打球供給皿２０３の下方左部位置に設けられた返却操作ボタン２９６を押圧操作することで、パチンコ球（待機球）の返却（抜き取り）が実施される。
【００２２】
この本実施例に用いた待機球返却部４２０の構成は、図２０並びに２１に示すように、待機球返却部４２０の下部に形成された待機球返却樋２４２にパチンコ球を流入させるための開口４２１が形成され、前記誘導傾斜樋２８３の終端に形成されたクランク流路４１６の流路下面にスライド自在に配置されたスライド板４２３が、前記操作ボタン２９６の押圧操作により前後方向に移動する連結棒４２４に固定されていて、該連結棒４２４の移動に伴ってスライド板４２３が前後方向にスライドするとともに、前記連結棒４２４にはスプリング４２２が前記連結棒４２４を前方（外方）方向、つまりはスライド板４２３が開口４２１を塞ぐ方向に付勢するように張架された構成とされていて、図２１（ｂ）に示すように、通常にあっては、前記スプリング４２２にてスライド板４２３が前方方向へ付勢されることにより、前記スライド板４２３が開口４２１を塞ぐことで、スライド板４２３上をパチンコ球が通過して、連結流路４１５を通じて揚送ユニット４００にパチンコ球が供給される一方、前記操作ボタン２９６の操作時にあっては、図２１（ａ）に示すように、該操作ボタン２９６の押圧操作により、スプリング４２２の付勢に抗してスライド板４２３が内方へスライドし、前記開口４２１がクランク流路４１６の底面に露出することで、図１９並びに図２０に示すように、パチンコ球が待機球返却樋２４２内に流入して、余剰玉受皿２０４に、パチンコ球（待機球）が返却されるようになっている。
【００２３】
また、本実施例では、図１３に示すように、前記待機球返却部４２０に隣接して、ストッパー部４２９を設けており、前記ガラス扉枠２０２が開放された場合に、該ストッパー部４２９にてクランク流路４１６の下流端よりパチンコ球が溢流することが防止されるようになっている。
【００２４】
この本実施例に用いたストッパー部４２９は、図１３並びに図２２に示すように、前記クランク流路４１６を横断可能にスライド自在とされたスライド板４３０と、該スライド板４３０をパチンコ機２の内方側に付勢する付勢バネ４３２とから成っており、前記ガラス扉枠２０２が開いた状態、つまりは、打球供給皿２０３が離脱した状態では、図２２（ａ）に示すように、前記スライド板４３０が前記付勢バネ４３２による付勢によりクランク流路４１６と連結流路４１５との連通口４３３を塞ぐ位置に移動されることで、該連通口４３３からパチンコ球が溢流することが防止され、該前記ガラス扉枠２０２を閉じた状態、つまりは、打球供給皿２０３を装着すると、該装着動作により、前記スライド板４３０の側面側面部に形成された係合部４３１と連結流路４１５の外方側壁とが当接することで、スライド板４３０が前記付勢バネ４３２の付勢に抗してパチンコ機２の外方方向へスライドし、前記連通口４３３の閉塞が解除されることで、図２２（ｂ）に示すように、パチンコ球が連結流路４１５へ供給されるようになっている。
【００２５】
このように、溢流阻止部であるストッパー部４２９の構成を前記スライド板４３０と付勢バネ４３２にて形成することは、これら溢流阻止部を簡素な構造で形成でき、これら溢流阻止部を設けることによるコスト上昇を抑えることができることから好ましいが、本発明はこれに限定されるものではなく、これら溢流阻止部をその他の構成、例えば、電気的にガラス扉枠２０２の開放を検知して、ソレノイドにて前記スライド板４３０を動作させるようにするようにしても良い。
【００２６】
ここで、本実施例に用いた揚送ユニット４００について図１２を中心に説明すると、揚送ユニット４００は主に、内部にパチンコ球を１つ１つ、単体にて揚送するための揚送部材としての揚送スクリュー４０３を収容するとともに、その前面側に開閉自在とされた開閉部４２５を有する揚送通路ケース４０２から成る揚送通路と、該揚送通路の下端位置に設けられ、前記揚送スクリュー４０３を駆動する揚送駆動部としての揚送モータ４１０や、前記揚送通路内にパチンコ球を供給する揚送球供給部材としての球供給スプロケット４１３や、該球供給スプロケット４１３にパチンコ球を誘導する連結流路４１５とを有する下部ユニット４０１とから構成されている。
【００２７】
この下部ユニット４０１の構成は、図１２（ｂ）並びに図１３に示すように、前記誘導傾斜樋２８３、クランク流路４１６並びに連結流路４１５を流下してきたパチンコ球を前記揚送通路内部に供給するための円盤状の球供給スプロケット４１３が、揚送モータ４１０にて駆動されると同時に、該球供給スプロケット４１３と同軸に軸支されている駆動ギア４１２と前記揚送スクリュー４０３と同軸に軸支されている受動ギア４１１とが噛合することで、前記揚送モータ４１０の駆動力が、前記駆動ギア４１２並びに受動ギア４１１を介して伝達されて揚送スクリュー４０３が回転するようになっているとともに、本実施例の前記球供給スプロケット４１３の外周には、１つのパチンコ球を収容するための略半円形状の球収容部４１４が設けられている。
【００２８】
また、前記球供給スプロケット４１３の上面外縁部で、かつ球供給スプロケット４１３の回動方向とは逆の回動方向に９０度ずれた位置には、永久磁石からなる検出片４４１が設けられていて、前記球供給スプロケット４１３の回動に伴い検出片４４１も回動するようになっている。
【００２９】
この球供給スプロケット４１３が、前記連結流路４１５から前記球収容部４１４へパチンコ球を受け取る位置に有るときに、前記検出片４４１がある位置の下部ユニット４０１の内壁面上部には、該検出片４４１の検出を行うスプロケット位置検出センサ４４０が設けられており、球供給スプロケット４１３が回動することにより検出片４４１がスプロケット位置検出センサ４４０と近接することで、検出片４４１が検出されて、検出信号がスプロケット位置検出センサ４４０より出力されるようになっている。
【００３０】
このように、前記検出片４４１を球供給スプロケット４１３に設けるとともに、該検出片４４１を、前記球供給スプロケット４１３の近傍に設けられた前記スプロケット位置検出センサ４４０にて検出するようにすることは、前記発射装置５００並びに揚送ユニット４００における１サイクルの揚送、発射動作に同期して、該球供給スプロケット４１３も１回転するようになることから、これら揚送、発射動作の基準となる位置を、特別な制御や処理なしに容易に検出できるようになることから好ましいが、本発明はこれに限定されるものではなく、例えば、検出片４４１を前記揚送スクリュー４０３の側端部に設けたり、揚送モータ４１０の内部に設けるようにしてもよく、揚送モータ４１０の基準位置を検出できるようになっていれば任意の位置に設けることができる。
【００３１】
また、この球供給スプロケット４１３に供給される球圧並びに前記待機球返却部４２０に供給される球圧を緩和することを目的として、本実施例では、前記誘導傾斜樋２８３におけるパチンコ球の流下方向と異なる方向にパチンコ球を誘導することにより球圧を緩和するクランク流路４１６が設けられているとともに、該クランク流路４１６の下流位置に前記待機球返却部４２０が設けられていて、球圧緩和後のパチンコ球が待機球返却部４２０に供給されることで、パチンコ球が良好に待機球返却部４２０の下方へ流下するように工夫されている。
【００３２】
また、このクランク流路４１６にて球圧が緩和されたパチンコ球は、上面視略逆Ｓ字状に屈曲する連結流路４１５において、更に球圧が緩和された後、下部ユニット４０１の内方側に回り込むように球供給スプロケット４１３に供給される。
【００３３】
これら球供給スプロケット４１３に供給されたパチンコ球は、図１４（ａ）に示すように、前記球供給スプロケット４１３の回動により、前記球収容部４１４が、パチンコ球の流入口方向に向くことで、該球収容部４１４内部にパチンコ球が取り込まれる。次いで、図１４（ｂ）に示すように、球収容部４１４内部に取り込まれたパチンコ球が、球供給スプロケット４１３の回動に伴って、回転方向に移動し、図１４（ｃ）に示すように、球供給スプロケット４１３が９０度回転した位置にてパチンコ球が揚送通路を構成する球通路部４０４内に供給される。
【００３４】
この球供給スプロケット４１３によるパチンコ球の供給に際して、パチンコ球と揚送スクリュー４０３の螺旋状凸部としての外周部４０３ａが衝突しないように、前記受動ギア４１１と駆動ギア４１２とにより、球供給スプロケット４１３と揚送スクリュー４０３とが同期されている。それとともに、パチンコ球が球通路部４０４内に供給されるとほぼ同時に、外周部４０３ａの下端部と供給されたパチンコ球とが摺接するように同期されることで、前記球収容部４１４内から、パチンコ球が上方へ抜き出されて球通路部４０４内へ供給され、これら球通路部４０４内へ供給されたパチンコ球は、本実施例においては前記揚送スクリュー４０３が６回転することで揚送通路の下端から上端へ揚送されて、前記発射装置５００に排出・供給される。
【００３５】
これら球通路部４０４内へパチンコ球を供給する球供給スプロケット４１３が１回転すると、該球供給スプロケット４１３と同軸に軸支されている駆動ギア４１２も１回転し、該駆動ギア４１２にて駆動される受動ギア４１１と同軸にて回転される前記揚送スクリュー４０３が３回転するように駆動ギア４１２と受動ギア４１１のギア比が設定されていることで、球供給スプロケット４１３が１回転する間に球通路部４０４内へ供給された１つのパチンコ球は、前記揚送スクリュー４０３が前述のように６回転にて上端へパチンコ球を揚送できることから、該球供給スプロケット４１３の初めの１回転に伴って揚送通路のほぼ中間位置にまで揚送され、次いで、球供給スプロケット４１３の次の１回転に伴って、揚送通路の上端に揚送されて前記発射装置５００内に排出されるようになり、この際、該球供給スプロケット４１３の１回転により供給されたパチンコ球も、初めに球通路部４０４内へ供給されたパチンコ球同様に揚送通路内の中間位置まで揚送されるようになることから、揚送通路内には、常時、最大でも２球のパチンコ球しか存在しないようになっており、これら受動ギア４１１と駆動ギア４１２とを駆動する揚送モータ４１０が、接続コネクタ４１０’に接続されて、その動作が駆動制御手段としての発射揚送制御基板２９１にて制御されることで、前記発射装置５００からのパチンコ球の発射に連動して揚送ユニット４００によるパチンコ球の揚送、供給が実施されるようになっている。
【００３６】
このように、本実施例においては、前記球供給スプロケット４１３並びに前記揚送スクリュー４０３が、同一の前記揚送モータ４１０により駆動されるようになるため、駆動モータを個別に設ける必要がなく、弾球遊技機のコストを安価に抑えることができることから好ましいが、本発明はこれに限定されるものではなく、揚送スクリュー４０３を駆動する駆動モータと球供給スプロケット４１３を駆動する駆動モータとは別個に設けるようになっていてもよい。
【００３７】
また、本実施例では前述のように、１つのパチンコ球が揚送通路のほぼ中間位置まで揚送された時点で次のパチンコ球が球通路部４０４内に供給されることで、揚送通路中には２球のパチンコ球が存在する状態で揚送が行われるようになっているが、本発明はこれに限定されるものではなく、例えば、揚送通路自体の長さを短くしたり、揚送スクリュー４０３の回転速度を上げたりして、十分な揚送速度が得られる場合においては、１球ずつパチンコ球を揚送して発射装置５００に排出するようにしても良い。
【００３８】
これら球供給スプロケット４１３にてパチンコ球が１つづつ供給される揚送通路は、図１２（ａ）並びに図１２（ｂ）に示すように、供給されたパチンコ球が揚送される球通路部４０４と、前記揚送スクリュー４０３が挿通配置されたスクリュー収容部４０５とから成り、揚送スクリュー４０３の螺旋状凸部の外周４０３ａが前記球通路部４０４に露出して揚送されるパチンコ球と摺接するように軸支されており、揚送スクリュー４０３の回転に伴ってパチンコ球が球通路部４０４の内部を上方へと揚送されていく。
【００３９】
尚、前記揚送通路ケース４０２は、透明な樹脂製（アクリル樹脂）とされており、このように透明な樹脂を用いることは、球通路部４０４内部並びにスクリュー収容部４０５の内部の状態を、目視にて分解することなく容易に確認できることから好ましいが、本発明はこれに限定されるものではなく、これら揚送通路ケース４０２を不透明な樹脂や金属等にて形成しても良い。
【００４０】
また、本実施例に用いた前記揚送スクリュー４０３の前記螺旋状突出部は、低摩擦であって帯電防止能に優れる導電材である導電性ポリプロピレン樹脂にて形成されており、このように前記螺旋状突出部を導電材或いは帯電防止能を有する帯電防止材にて形成することは、前記パチンコ球の揚送において、パチンコ球と揚送スクリュー４０３とが摺動することにより静電気が発生することを防止するとともに、揚送スクリュー４０３を適宜にアースしておくことで、既にパチンコ球が帯電している場合にあっても、該パチンコ球の帯電を除去できるようになることから好ましいが、本発明はこれに限定されるものではなく、これら揚送スクリュー４０３をより導電性の優れる金属にて形成したり、或いは帯電防止能を有しない通常の樹脂にて形成するようにしても良い。
【００４１】
また、本実施例では、前述のように、揚送スクリュー４０３並びに球供給スプロケット４１３の双方を同一の駆動源である揚送モータ４１０にて駆動するようにしており、このようにすることは、個別に駆動モータを設けるのに比較して動力源の数を低減できるため、コストを抑えることができるとともに、前記揚送スクリュー４０３と球供給スプロケット４１３の同期（連動）を、前述のようにギア比等にて機械的に設定することで、容易且つ確実に制御できることから好ましいが、本発明はこれに限定されるものではなく、個々の動力源を個別の駆動モータとして制御するようにしても良い。
【００４２】
また、本実施例では、前述のように、前記揚送通路ケース４０２の前面側に開閉部４２５を設けており、このようにすることは、開閉部４２５を開放することで、揚送通路内に簡便にアクセスできるようになるため、異物の除去等を迅速に実施できるようになることから好ましいが、本発明はこれに限定されるものではなく、これら開閉部４２５を有しない構成としてもよい。
【００４３】
また、本実施例では、前記球通路部４０４がパチンコ機２の内方側に位置するように揚送ユニット４００が取り付けられていることから、前記開閉部４２５が該球通路部４０４の反対面に取り付けられているが、本発明はこれに限定されるものではなく、例えば揚送ユニット４００が、前記球通路部４０４がパチンコ機２の前面側に位置するように取り付けられる場合には、該球通路部４０４に開閉部を設けるようにしても良い。
【００４４】
この揚送モータ４１０の動作は、前記発射揚送制御基板２９１によって、発射装置５００からのパチンコ球の発射に連動して、前記球通路部４０４の上端に形成されている球供給口４１７から揚送されたパチンコ球が該発射装置５００に排出、供給されるように制御される。
【００４５】
次いで、本実施例に用いた発射装置５００について、図１２並びに図１５、図１６を用いて説明すると、発射装置５００の外装ケース５１０内部には、共通の揺動軸５１３に揺動自在に軸支された球リフトアーム５０２と発射部材としての発射アーム５０３が設けられている。
【００４６】
これら球リフトアーム５０２と発射アーム５０３の一方端は、発射装置５００の上部裏面側に固設された発射駆動部としてのカム駆動モータ５１１にて回転駆動されるカム軸５０１’に同軸に固設されたカム部材としてのリフト用カム５０１ａ並びに発射用カム５０１ｂに摺接することで、該リフト用カム５０１ａ並びに発射用カム５０１ｂの回動に伴って球リフトアーム５０２と発射アーム５０３とが個別の揺動動作を為すようになっているとともに、発射アーム５０３は、発射装置５００の下方に、前記リフトアーム５０２と発射アーム５０３の揺動円弧に外接するように傾斜配置された発射レール５０８にほぼ並行となるように張架された発射用スプリング５０４にて付勢されており、また、球リフトアーム５０２は、前記発射用スプリング５０４とほぼ直交するように張架されたリフト用スプリング５０６にて付勢されている。
【００４７】
また、発射用スプリング５０４の発射アーム５０３との連結側ではない他方端は、発射用スプリング５０４の張架方向にスライド可能とされたスライド片５０５に連結されていて、該スライド片５０５が、発射装置５００の裏面側に固設された発射強度調整モータ５１２によりスライドすることで、発射アーム５０３の付勢力が調節され、該発射アーム５０３にて打ち出されるパチンコ球の発射強度を調節できるようになっており、これら発射強度の調節は、前記打球操作ハンドル２０５の操作に基づいて前記発射揚送制御基板２９１によって前記発射強度調整モータ５１２の動作が制御されることで実施される。
【００４８】
また、前記発射レール５０８の傾斜下方端位置には、前記ファール球流路２９５への流入口２９４の開閉を、前記球リフトアーム５０２の下端と摺接することによって該球リフトアーム５０２の揺動に伴って実施するファール球通路弁５０７が設けられており、該ファール球通路弁５０７は図示しないスプリングにより、前記流入口２９４を塞がない開状態となるように常時付勢されている。
【００４９】
この発射装置５００の発射動作は、まず図１５（ａ）に示すように、前記カム５０１の回動によって、前記球リフトアーム５０２と発射アーム５０３の双方が、前記リフト用スプリング５０６並びに発射用スプリング５０４の付勢力に抗して、発射装置５００の下方隅部の位置まで揺動されるとともに、前記球供給口４１５から揚送されたパチンコ球が発射装置５００に供給される。
【００５０】
該発射装置５００に供給されたパチンコ球は、図１５（ｂ）に示すように、前記リフト用カム５０１ａの回動によって、まず球リフトアーム５０２のみが揺動を開始することで、発射平面となる前記発射アーム５０３の揺動平面と同一平面上を、該球リフトアーム５０２によって前記発射レール５０８上の所定の発射位置へ誘導される。この誘導に際して前記ファール球通路弁５０７は、球リフトアーム５０２の揺動に伴って該球リフトアーム５０２の下端と摺接することにより、前記流入口２９４が閉じた状態となる。
【００５１】
尚、前記球リフトアーム５０２の揺動外周端部には、発射アーム５０３の先端に設けられた打ち出しスプリングが挿通可能な円形窓が形成されていて、前記円形窓内に前記発射位置へ誘導されたパチンコ球が保持されるようになっており、このように発射されるパチンコ球を保持することは、発射の際のパチンコ球の位置精度を向上でき、安定した遊技球の発射が可能となることから好ましいが、本発明はこれに限定されるものではなく、これら保持を実施しない構成としても良い。
【００５２】
また、前記リフト用カム５０１ａの形状は、前記発射位置の遠方領域において前記球リフトアーム５０２の揺動下端の移動速度が大きくなるように、その外径が大きく増加するとともに、前記発射位置の近傍において、球リフトアーム５０２の揺動下端の移動速度が低速となることで誘導されるパチンコ球の誘導速度が低速となるように、その外径が漸増するような形状となっており、このように発射位置の近傍においてパチンコ球の誘導速度が低速となるようにすることは、誘導中におけるパチンコ球のブレ（振動）を低減できることにより安定した発射強度を得ることができることから好ましいが、本発明はこれに限定されるものではなく、これら低速誘導を実施しない構成としても良い。
【００５３】
更に、本実施例では前記低速誘導を前記リフト用カム５０１ａの形状により実施しており、このようにすることは、例えばこれらの低速誘導をカム駆動モータ５１１の回転速度制御等にて実施する場合に比較して、滑らかな低速誘導が可能となるばかりか、回転速度の加減速が繰り返されることを回避できることで、カム駆動モータ５１１の損耗も低減できることから好ましいが、本発明はこれに限定されるものではなく、これらの低速誘導をカム駆動モータ５１１の回転速度制御にて実施するようにしても良い。
【００５４】
次いで、発射レール５０８上の所定の発射位置へ誘導されたパチンコ球は、図１５（ｃ）に示すように、発射用カム５０１ｂの回動に伴い、前記発射用スプリング５０４に抗する力が解除されることで、該発射用スプリング５０４による付勢力に比例する勢いにて、発射アーム５０３が図中の矢印方向に揺動することで、発射レール５０８上の発射路５０９を通じて遊技領域２０７へ打ち出される。
【００５５】
この際、図１６（ａ）に示すように、発射の勢いが弱く、遊技領域２０７に達しなかったパチンコ球は、図１６（ｂ）のように、前記発射レール５０８上を傾斜下方側へ流下してくるが、発射後のカム５０１の回動に伴って、前記球リフトアーム５０２と発射アーム５０３の双方が、図１６（ｃ）に示すように双方のスプリング５０４、５０６に抗して揺動を開始することで、それまで球リフトアーム５０２の下端部に摺接することで前記ファール球流路２９５の流入口２９４を塞いでいたファール球通路弁５０７が、摺接の解除に伴って、図示しないスプリングにより立設状態に戻ることで、流入口２９４が開状態となり、前記発射レール５０８上を流下してきたファール球が、ファール球流路２９５内へ流入し、該ファール球流路２９５の下端に形成されているファール球流入口２８８、賞球通路２７３を通じて打球供給皿２０３或いは余剰玉受皿２０４に返却される。（図１８参照）
【００５６】
また、前記リフト用カム５０１ａの上面外縁部には、永久磁石からなる検出片４５１が設けられているとともに、発射装置５００の内部上方でリフト用カム５０１ａ、発射用カム５０１ｂの近傍位置には、該検出片４５１の近接を検出するためのカム位置検出センサ４５０が設けられており、該カム位置検出センサ４５０に検出片４５１が近接することで、該カム位置検出センサ４５０より検出信号が出力されるようになっている。
【００５７】
このように、カム部材５０１に検出片４５１を設けるとともに、該カム部材５０１の近傍にカム位置検出センサ４５０を設けて、前記検出片４５１を検出することは、発射動作の基準位置となる位置、本実施例では発射アーム５０３が揺動方向の外方端部にある位置を一義的に基準位置にでき、これら基準位置を、特別な制御が処理等を要することなく、容易に検出できることから好ましいが、本発明はこれに限定されるものではなく、例えば、カム駆動モータ５１１の駆動軸の反対側に、回転部材等を設け、該回転部材に検出片４５１設けて該回転部材の位置を検出するようにしたり、前記発射アーム５０３や球リフトアーム５０２の位置をフォトセンサ等で検出するようにしても良く、カム駆動モータ５１１の基準位置を検出出来る位置であれば、任意の位置に設けることができる。
【００５８】
なお、前記スプロケット位置検出センサ４４０、カム位置検出センサ４５０は、磁気検出センサとされていて、各検出片４４１、４５１として永久磁石を使用することにより、前記スプロケット位置検出センサ４４０、カム位置検出センサ４５０と、各検出片４４１、４５１とが近接することで、各検出片４４１、４５１が検出されるようになっているが、本発明はこれに限定されるものではなく、例えば、前記スプロケット位置検出センサ４４０、カム位置検出センサ４５０に、フォトセンサなどの検出片の通過もしくは近接を検出可能なセンサを適用するようにしてもよい。
【００５９】
また、検出片４５１がカム位置検出センサ４５０に近接して検出される際のリフト用カム５０１ａ、発射用カム５０１ｂの位置については、リフト用カム５０１ａは、パチンコ球を発射レール５０８へ誘導している状態となった位置、つまり発射アーム５０３が揺動方向の外方端部にある位置としているが、本発明はこれに限定されるものではなく、これら基準位置は選定すれば良い。
【００６０】
次いで、前記遊技盤２０６の前面に形成された遊技領域２０７について説明すると、本実施例の遊技領域２０７は、発射装置５００を遊技盤２０６の向かって左上部側方位置に有することで、従来のパチンコ機が備えていた発射レール等を有しないことから、遊技領域２０７が、従来のパチンコ機の遊技領域に比較して下方に大きく拡大しているとともに、その形状が吊鐘状とされている。この遊技領域２０７の中央上部付近には、図３に示すように、「特別図柄」と呼ばれる複数種類の識別情報可変表示するための可変表示部２０９と、「普通図柄」と呼ばれる個別図柄（本実施例では「○」と「×」）が、交互点灯される表示器２１０とを含む可変表示装置２０８が設けられている。尚、本実施例では、可変表示部２０９はＬＣＤ表示器（液晶表示器）にて形成されていて、特別図柄を可変表示可能とされている。具体的に、可変表示部２０９の表示エリアにおいては、縦横方向に並ぶ態様で９つの可変表示エリアを表示上形成し、それらのエリアにおいて、各エリアに共通の複数図柄が個々に独立して可変表示される。
【００６１】
また、表示器２１０は、左右２つのＬＥＤを有し、可変表示部２０９に表示される特別図柄は、後述するように打玉が始動入賞口２１４へ始動入賞することに基づいて可変開始される。一方、可変表示部２１０に表示される普通図柄は、後述するように打玉が第１通過ゲート２１１ａを通過することに基づいて可変開始される。
【００６２】
可変表示部２０９の下部には、始動入賞口２１４に入賞した始動入賞球数を記憶して表示する４個の表示部（ＬＥＤ）を有する始動入賞記憶表示器２１８が設けられている。本実施例では、４個を上限として、始動入賞が記憶される毎に、始動入賞記憶表示器２１８のＬＥＤが１つ追加して点灯する。そして、可変表示部２０９において特別図柄の可変表示が開始される毎に、ＬＥＤが１つ滅灯する。
【００６３】
可変表示装置２０８の側部には、打玉を導く第１通過ゲート２１１ａが設けられている。第１通過ゲート２１１ａには、第１通過ゲート２１１ａを通過した打玉を検出するゲートスイッチ２１２ａがある。
【００６４】
また、始動入賞口２１４には可動片２１５が設けられていて、ソレノイド２１６によって開状態とされ、始動入賞口２１４に入賞した始動入賞球は、遊技盤２０６の背面に導かれ、始動ロスイッチ２１７によって検出される。
【００６５】
また、始動入賞口２１４の下方には、第２通過ゲート２１１ｂ並びに第３通過ゲート２１１ｃが設けられていて、両通過ゲート２１１ｂ，２１１ｃにはそれぞれ、通過した打玉を検出するためのゲートスイッチ２１２ｂ，２１２ｃが設けられており、第２通過ゲート２１１ｂを打玉が通過した場合には、遊技領域２０７の中央下方位置に設けられている役物装置２６９の可動片２６９ａの開閉動作が２回実施され、第３通過ゲート２１１ｃを打玉が通過した場合には、役物装置２６９の可動片２６９ａの開閉動作が１回実施される。
【００６６】
この両通過ゲート２１１ｂ，２１１ｃの下方位置には、開閉板２２０が設けられた可変入賞球装置２１９が取り付けられている。遊技状態が大当り状態（特定遊技状態）となれば、ソレノイド２２１によって開閉板２２０が開成し、可変入賞球装置２１９の大入賞口が開口する。大入賞口に進入した玉のうち特定入賞領域（Ｖポケット）に入った入賞球はＶカウントスイッチ２２２で検出される。一方、大入賞口内における特定入賞領域以外の通常入賞領域へ入賞した入賞球はカウントスイッチ２２３で検出される。
【００６７】
また、遊技領域２０７の中央下部位置には、役物装置２６９が設けられており、該役物装置２６９の左右上部外周には、ソレノイド２６９ｂにより開閉される可動片２６９ａが設けられているとともに、その中央位置には、回転体駆動モータ２６９ｅにて駆動回転される回転体２６９ｃが設けられていて、該回転体２６９ｃの上面外周の役物装置２６９内部中央位置には、打玉が入賞することで遊技状態が大当り状態（特定遊技状態）の発生となるＶ入賞口２６９ｄが形成されており、Ｖ入賞口２６９ｄに入賞した打玉がＶ球検出スイッチ２６９ｇにより検出されることで大当り状態（特定遊技状態）となる。また、Ｖ入賞口２６９ｄの両側領域は空隙とされていて、該Ｖ入賞口２６９ｄに入賞しなかった打玉が該空隙内に落下して入賞球検出スイッチ２６９ｆにて検出されるようになっている。
【００６８】
また、遊技盤２０６には、複数の入賞口２２４ａ〜ｃが設けられている。遊技領域２０７の左右周辺には、遊技中に点灯表示される装飾ランプ２２５が設けられ、下部には、入賞しなかった打玉を回収するアウト口２２６が設けられている。また、図１に示すように、遊技領域２０７の外側の左右上部には、効果音を発する２つのスピーカ２２７が設けられているとともに、遊技領域２０７の外周には、遊技効果ＬＥＤ２２８ａおよび遊技効果ランプ２２８ｂ、２２８ｃが設けられている。
【００６９】
そして、本実施例では、一方のスピーカ２２７の近傍に、賞球払出時に点灯する賞球ランプ２５１が設けられ、他方のスピーカ２２７の近傍に、補給玉が切れたときに点灯する玉切れランプ２５２が設けられている。
【００７０】
また、遊技効果ランプ２２８ｃの近傍位置には、起動時における発射装置５００並びに揚送ユニット４００における基準位置出し異常や、発射装置５００並びに揚送ユニット４００の動作時における同期異常が発生した際に点灯されて異常報知を行う異常報知ランプ２８５が設けられている。
【００７１】
前記打球打球操作ハンドル２０５の操作によって発射装置５００から発射された打玉は遊技領域２０７に入り、該遊技領域２０７を流下していく。該打玉が通過ゲート２１１ａを通ってゲートスイッチ２１２ａで検出されると、表示器２１０に停止表示されている普通図柄が可変開始する。なお、表示器２１０の可変表示中に打玉が通過ゲート２１１ａを通過した場合にはその通過が記憶され、表示器２１０が停止して再度変動を開始可能な状態になってから前記通過記憶を「１」減算して表示器２１０が可変表示制御される。この通過記憶の上限はたとえば「４」に定められており、現時点での通過記憶数が通過記憶表示器（図示せず）により表示される。
【００７２】
また、打玉が始動入賞口２１４に入賞し、始動入賞口スイッチ２１７で検出されると、特別図柄の変動を開始できる状態であれば、可変表示部２０９に表示される特別図柄がスクロールを始める。たとえば、すでに可変表示が開始されて特別図柄が変動中である等の理由によって特別図柄の変動をすぐに開始できる状態でなければ、始動入賞記憶を一つ増やす。
【００７３】
表示器２１０の可変表示動作後の表示結果が予め定められた特定の表示結果（例えば、前記「○」に対応する向かって左側のＬＥＤが点灯）となった場合に、始動入賞口２１４に設けられた可動片２１５が所定時間開成して、パチンコ玉が該始動入賞口２１４に入賞し易くなる遊技者にとって有利な状態となる。
【００７４】
この始動入賞口２１４にパチンコ玉が入賞して始動入賞口スイッチ２１７で検出されると、特別図柄の変動を開始できる状態であれば、可変表示装置２０８の可変表示部２０９において全特別図柄が可変表示（変動表示）を開始する。そして、その後、９エリアの特別図柄が停止し、その停止表示結果が予め定められた特定の表示態様（たとえば７７７）が所定のライン上に揃った場合に、該表示態様に該当する秒数の間、前記役物装置２６９の可動片２６９ａが開放され、打玉が前記回転体２６９ｃの上面に流入可能となる。
【００７５】
この可動片２６９ａの開放中に前記回転体２６９ｃの上面に流入した打玉のいずれか１つが前記Ｖ入賞口２６９ｄに入賞した場合に、特定遊技状態（大当り状態）が発生する。このように可動片２６９ａの開放がなされる特定の表示態様は、大当り図柄と呼ばれ、この例では予め複数種類定められている。
【００７６】
このように大当り状態が発生した場合には、可変入賞球装置２１９の開閉板２２０が開成して遊技者にとって有利な第１の状態となる。この第１の状態は、所定期間（たとえば３０秒間）の経過、或いは打玉の所定個数（たとえば１０個）の入賞、のいずれか早い方の条件が成立することにより終了し、その後、遊技者にとって不利な第２の状態となる。第１の状態となっている可変入賞球装置２１９の大入賞口内に進入した打玉が特定入賞領域（Ｖポケット）に入賞してＶカウントスイッチ２２２により検出されれば、その回の第１の状態の終了を待って開閉板２２０が開成されて再度第１の状態となる。この第１の状態の繰返し継続制御は、本実施例では最大１５回まで実行可能とされている。このような最大１５回実行可能である第１の状態となっている時期は、繰返し継続制御のラウンド（回）と呼ばれる。この例では、繰返し継続制御は、第１ラウンドから最大第１５ラウンドまで繰返し実行可能である。
【００７７】
また、可変表示装置２０８の可変表示部２０９で可変表示された９つのエリアの特別図柄が同じ図柄の種類に一致した大当り図柄の組合せで停止表示されたときには前述したように大当りが発生するが、その大当り図柄が複数のライン、或いは全ての９つのエリアに異なる特別図柄が表示された場合において、前記Ｖ入賞口２６９ｄへの入賞が為された場合には、通常遊技状態に比べて大当りが発生する確率が高く変動した確率変動状態（以下、確変状態ともいう）となる。このような確率変動状態の発生のきっかけとなる特別の表示態様の大当り図柄は、確変図柄と呼ばれる。以下、確変図柄により発生する大当りを確変大当りといい、確変図柄以外の大当り図柄（非確変図柄）により発生する大当りである通常大当りと区別している。
【００７８】
通常遊技状態中に、一旦、確変大当りが発生すると、その確率変動状態は、たとえば、少なくとも予め定められた確変継続回数（たとえば、１回、あるいは２回）分の大当りが発生するまで確率変動状態に継続制御される。また、確率変動状態中に確変大当りが発生すれば、その確変大当り以降、改めて確変継続回数が計数され、その後、少なくとも確変継続回数だけ大当りが発生するまで確率変動状態が継続する。そして、確変継続回数に達した大当りが確変図柄以外の非確変図柄によるものであった場合には、確率変動の生じていない通常遊技状態に戻る。
【００７９】
可変表示装置２０８の可変表示部２０９においては、リーチ状態が発生する場合がある。ここで、「リーチ状態」とは、可変表示装置２０８の可変表示部２０９が可変開始された後、表示制御が進行して表示結果が導出表示される前段階にまで達した時点でも、特定の表示態様となる表示条件から外れていない表示態様をいう。言い換えれば、リーチとは、前記可変表示装置２０８の表示結果がまだ導出表示されていない段階で、前記特定の表示態様の組合せが表示されやすい可変表示態様となったと遊技者に思わせるための表示状態をいう。そして、たとえば、前記特定の表示態様の組合せが揃った状態を維持しながら複数の前記可変表示部２０９による可変表示を行う状態もリーチ表示状態に含まれる。さらにリーチの中には、それが出現すると、通常のリーチ（ノーマルリーチ）に比べて、大当りが発生しやすいものがある。このような特定のリーチをスーパーリーチという。
【００８０】
また、リーチ状態とは、可変表示装置２０８の表示制御が進行して表示結果が導出表示される前段階にまで達した時点での表示状態であって、前記表示結果が導出表示される以前に決定されている複数の可変表示領域２０９の表示結果の少なくとも一部が前記特定の表示態様となる条件を満たしている場合の表示状態をもいう。
【００８１】
また、役物装置２６９の可動片２６９ａの開閉は、第２通過ゲート２１１ｂ並びに第３通過ゲート２１１ｃの通過によっても実施され、該開閉により前記回転体２６９ｃの上面に打玉が流入し、Ｖ入賞口２６９ｄに入賞した場合にも大当り状態（特定遊技状態）が発生するが、この場合には、前記繰返し継続制御が、第１ラウンドから最大第８ラウンドまで繰返し実行可能とされる。尚、これら大当り中に可変表示部２０９の表示結果が、特定の表示態様（たとえば７７７）となった場合には、大当りの終了をまって、前記可動片２６９ａの開放が実施されるようになっている。
【００８２】
次に、パチンコ機２の背面の構造について図２に基づき説明する。パチンコ機２の遊技盤２０６の裏面側には、機構板２３６が設けられており、該機構板２３６には、可変表示部２０９の表示制御を行う表示制御基板２８０等が搭載された可変表示制御ユニット２２９、遊技制御基板ボックス２３２に覆われ遊技制御用マイクロコンピュータ等が搭載された遊技制御基板２３１、パチンコ玉の払出制御を行う払出制御用マイクロコンピュータ等が搭載された賞球制御基板２３７が設置されている。さらに、機構板２３６の上部位置の向かって右側角部位置には、前記揚送ユニット４００並びに発射装置５００の動作制御を行うマイクロコンピュータ等が搭載された発射揚送制御基板２９１と、遊技効果ＬＥＤ２２８ａ、遊技効果ランプ２２８ｂ，２２８ｃに信号を送るためのランプ制御基板２３５と、スピーカ２２７から出力する音声制御を行うマイクロコンピュータ等が搭載された音声制御基板２７０と、が設けられている。
【００８３】
また、図２中の２９０は、前記余剰玉受皿２０４への流下経路に設けられて、前記余剰玉受皿２０４の満タンを検出するための満タンスイッチ２１３や、前記玉払出装置２９７の上流部に設けられて球切れを検出するための球切れスイッチ２３３や、カウントスイッチ２２３、Ｖカウントスイッチ２２２、賞球用カウントスイッチ２４８ａ、貸出球カウントスイッチ２４８ｂ等各種スイッチからの信号を前記遊技制御基板２３１に中継するための枠用スイッチ中継基板である。
【００８４】
この機構板２３６の上部には球タンク２３８が設けられ、前記遊技島の前記供給樋より導出された供給管（図示略）よりパチンコ玉が球タンク２３８に供給される。球タンク２３８内のパチンコ玉は、誘導樋２３９を通って玉払出装置２９７に供給される。
【００８５】
この誘導樋２３９の下流側終端部には、カーブ樋２４３、球供給樋２４４を介して２条の球供給通路２４５が連設されているとともに、この球供給通路２４５の下端部が、入賞の発生等により付与された賞球の払出や玉貸球の払出を行う払出装置２９７に連設されており、誘導樋２３９を流下するパチンコ球は、取付ボスを支点として揺動自在に垂下されて取り付けられている玉ならし部材２４９により、上下２段となって流下する球が玉ならし部材２４９により埋設される重錘の作用によって１段とされるとともに誘導樋２３９にて２条に分流された後、カーブ樋２４３により左右方向から下方へ流下方向が変換され、球供給樋２４４並びに球供給通路２４５を介して、払出装置２９７に供給されるようになっている。
【００８６】
また、球供給通路２４５の経路中には球切れスイッチ２３３が各条に対応して設けられており、この球切れスイッチ２３３により払出装置２９７での１回の玉貸球数である２５球のパチンコ球が球供給通路２４５内に準備されているか否かが検出されるようになっている。
【００８７】
また、前記カーブ樋２４３の屈曲部には球抜き弁２４７が設けられており、該球抜き弁２４７を作動する作動レバー（図示略）をパチンコ機２の前面側から操作することにより、その屈曲部より上流側の誘導樋２３９並びに球タンク２３８に待機する玉を、前記球供給通路２４５とほぼ平行に設けられている球抜通路２４６を介して遊技島のアウト球タンクに排出される。
【００８８】
この払出装置２９７には、図１０並びに図１１に示すように、球供給通路２４５の各条に対応して球切り用のスプロケット６０６が設けられている。このスプロケット６０６の外周には３カ所の切欠（図１１参照）が形成されており、これらスプロケット６０６が払出モータ６０１の駆動により回転されることで切欠内に入り込んだパチンコ球が１球ずつ下方に排出されるようになっている。また、各条に対応したスプロケット６０６は切欠の位置が互いにずれるように配置されており、双方のスプロケット６０６が同期回転することで交互にパチンコ球が排出される。
【００８９】
これらスプロケット６０６の下方には、前記払出装置２９７から払い出されたパチンコ球の通過を検出するための賞球用カウントスイッチ２４８ａ並びに貸出球カウントスイッチ２４８ｂが、賞球用に払い出されるパチンコ球と貸出用に払い出されるパチンコ球を独立して検出するようになっており、該賞球用カウントスイッチ２４８ａ並びに貸出球カウントスイッチ２４８ｂの上流位置には、振分ソレノイド６０２の励磁または解除により揺動し、前記スプロケット６０６の回転により排出されたパチンコ球の流下経路を、賞球用カウントスイッチ２４８ａの検出経路、または貸出球カウントスイッチ２４８ｂ側の検出経路のいずれか一方に切り替えるための流路切替弁６０７が設けられている。
【００９０】
この払出装置２９７では、賞球の払出時には流路切替弁６０７を図１１（ａ）に示す状態とすることで、スプロケット６０６の回転により排出されたパチンコ球が賞球用カウントスイッチ２４８ａにて検出された後、賞球通路２７３に排出されるようになっている。また、球貸の払出時には、振分ソレノイド６０２の励磁により流路切替弁６０７が揺動し、図１１（ｂ）に示すような状態となり、スプロケット６０６の回転により排出されたパチンコ球が貸出球カウントスイッチ２４８ｂにて検出された後、賞球通路２７３に排出されるようになっている。
【００９１】
また、賞球通路２７３の下流位置にはガラス扉枠２０２の打球供給皿２０３に連通する上皿連通口２７４が設けられており、払出装置２９７から払い出されたパチンコ球は、賞球通路２７３並びに上皿連通口２７４を通って打球供給皿２０３に払い出され、貯留されるようになっている。また、この上皿連通口２７４の側方には、最下端部が前記ガラス扉枠２０２の下方に設けられている余剰玉受皿２０４に連通する余剰球通路２７１に連設されており、打球供給皿２０３に貯留されたパチンコ球が満タンの状態であるために上皿連通口２７４から溢れたパチンコ球が、この余剰球通路２７１を流下して余剰玉受皿２０４に流下するようになっている。
【００９２】
更に、本実施例では、前記賞球通路２７３の経路中に、前記ファール球流路２９５の下端部に繋がるファール球流入口２８８が形成されていおり、該ファール球流入口２８８から流入してきたファール球は、賞球通路２７３を流下して打球供給皿２０３或いは余剰玉受皿２０４に返却される。
【００９３】
また、この余剰球通路２７１の経路中には、図５に示すように、前記余剰玉受皿２０４に流下したパチンコ球が余剰玉受皿２０４に満杯になったことを検知するための満タンスイッチ２１３が設けられており、これら満タンスイッチ２１３がＯＮされた場合には、玉払出装置２９７の払出モータ６０１の駆動が停止されて賞球及び貸球の払出動作を不能動化する。
【００９４】
なお、必要に応じて発射装置５００のカム駆動モータ５１１及び揚送ユニット４００の揚送モータ４１０の駆動も停止するようにしてもよい。満タンスイッチ２１３は、その上端が軸突起に軸支されて揺動自在に設けられた検知レバーの後方に満タンスイッチ２１３を構成するアクチュエータを位置させて前記検知レバーの揺動動作を検出するものである。
【００９５】
ここで、前記機構板２３６の内方面側の構成について説明すると、機構板２３６の内方面側には、図６に示すように、入賞球を誘導する入賞球誘導通路２７６とアウト球を誘導するアウト球通路２７７とが形成されている。入賞球誘導通路２７６の上方は、入賞球落下入口２７８となっており、前記遊技盤２０６の背面を覆うように形成された入賞球誘導カバー体（図示略）にて収集されて放出される入賞球を受け入れるようになっており、その受け入れた入賞球を入賞球誘導通路２７６が一側側方に向かって誘導し、機構板２３６に形成された連通口２７９から機構板２３６の背面側に導き、さらにその連通口２７９と前記球抜き通路２４６の下流部とを連通する合流通路２８６に導くようになっている。球抜き通路２４６は、合流通路２８６との合流部の上流位置にて、機構板２３６の外周縁に沿って逆Ｌ字状に屈曲され、該機構板２３６のほぼ中央背面側に形成される前記余剰球通路２７１の右側方に形成される合流排出通路２８７に最終的に合流するようになっている。
【００９６】
したがって、前記遊技盤２０６から排出されて入賞球誘導カバー体を介して入賞球落下入口２７８から受け入れられた入賞球は、入賞球誘導通路２７６、連通口２７９、合流通路２８６、球抜き通路２４６の最下流部、及び合流排出通路２８７を介してパチンコ機２の外部に誘導されるようになっている。なお、入賞球落下入口２７８と入賞球誘導通路２７６との間の空間には、入賞球落下入口２７８から落下する入賞球によって振動するように支持されると共に、入賞球誘導通路２７６上を転動する入賞球を一列に整列させる誘導部材が設けられている。
【００９７】
また、アウト球通路２７７は、前記入賞球落下入口２７８の側方に形成される凹部２８１の下方に入賞球誘導通路２７６と上下方向に重複するように形成され、その流下端の機構板２３６の主体に連通口２８２が開設されて前記合流排出通路２８７に連通するようになっている。なお、上記した凹部２８１は、遊技盤２０６の下部を裏面から固定するために遊技盤収納枠下部のほぼ中央に取り付けられる遊技盤係止レバーを収容するためのものである。
【００９８】
しかし、遊技盤２０６のアウト口２２６から取り込まれたアウト球は、遊技盤２０６の裏面に刻設形成されるアウト球排出通路（図示しない）に導かれ、さらに前記遊技盤収納枠の下部の板状部分に形成されるアウト球連通口を経由して上記したアウト球通路２７７に導かれた後、連通口２８２並びに前記合流排出通路２８７を通ってパチンコ機２の外部に導かれる。つまり、上記した合流排出通路２８７には、球抜き通路２４６からの球抜き球、アウト球通路２７７からのアウト球、入賞球誘導通路２７６からの入賞球がすべて合流されてパチンコ機２の外部に誘導され、該合流排出通路２８７からパチンコ機２の外部へ排出される。
【００９９】
この合流排出通路２８７の向かって左側位置には、内部に複数の電圧の異なる電源を生成する電源ユニット基板を収容する電源ユニットボックス２７２が設けられている。電源ユニット基板は、電源線が接続される電源コネクタが実装されている。電源コネクタに接続される電源線は、機構板２３６の裏面側に形成される配線処理溝（図示しない）に沿って機構板２３６の下部まで引き通され、機構板２３６の主体に設けられる各開口から該主体の表側に引き出されて電源コネクタに接続される。電源線によって供給される電圧はＡＣ２４Ｖの電圧であり、電源ユニット基板（電源生成基板）で生成される複数の電圧は、ＤＣ３０Ｖ、ＤＣ２１Ｖ、ＤＣ１２Ｖ、ＤＣ５Ｖの４種類である。（但し、他の基板に対してＡＣ２４Ｖも供給する。）
【０１００】
また、電源ユニット基板は、遊技制御基板２３１及び賞球制御基板２３７の各ＣＰＵに駆動電源が供給されていない間、各基板に設けられているＲＡＭの記憶内容をバックアップ（保持）するために各基板にバックアップ電源を供給するようになっている。なお、電源ユニット基板（電源生成基板）から電源断信号が出力されることによって遊技制御基板２３１及び賞球制御基板２３７は、バックアップをするための処理を行うようになっている。
【０１０１】
上記した電源ユニットボックス２７２の背面側には、遊技動作を制御する遊技制御基板２３１を収容する遊技制御基板ボックス２３２が着脱自在に取り付けられるようになっている。その取付は、機構板２３６の開口窓２４０の下辺よりやや上部にブリッジ状に掛け渡される横架突出板２８４に取り付けられるものである。横架突出板２８４は、遊技制御基板ボックス２３２を取り付けたときに、遊技制御基板ボックス２３２の裏面が前記電源ユニットボックス２７２と前記遊技盤２０６の裏面側に取り付けられるランプ制御基板２３５及び音声制御基板２７０を収容する制御基板ボックスに当接しないように重畳的に設けられる高さに設定されており、前記したＬ字状突出板の高さとほぼ同じ高さとなっている。
【０１０２】
ここで、本実施例のパチンコ機２の遊技制御基板２３１における回路構成の一例を図７に示すと、該遊技制御基板２３１は、プログラムに従ってパチンコ機２を制御する基本回路２５３と、入賞球検出スイッチ２６９ｆ、Ｖ球検出スイッチ２６９ｇ、ゲートスイッチ２１２ａ〜ｃ、始動入賞口スイッチ２１７、Ｖカウントスイッチ２２２、カウントスイッチ２２３、入賞球検出スイッチ２９９ａ〜ｃ、満タンスイッチ２１３（余剰玉受皿２０４の満タンを検出する満タンスイッチ２１３）、球切れスイッチ２３３、賞球用カウントスイッチ２４８ａ、貸出球カウントスイッチ２４８ｂからの信号を基本回路２５３に与えるスイッチ回路２５８と、可動片２１５を開閉するソレノイド２１６および開閉板２２０を開閉するソレノイド２２１、可動片２６９ａを開閉するソレノイド２６９ｂ並びに回転体２６９ｃを回転駆動する回転体駆動モータ２６９ｅを基本回路２５３からの指令に従って駆動するモータ・ソレノイド回路２５９と、始動入賞記憶表示器２１８の点灯および点滅を行うとともに、表示器２１０と装飾ランプ２２５とを駆動するランプ・ＬＥＤ回路２６０とを含む。
【０１０３】
また、遊技制御基板２３１は、基本回路２５３から与えられるデータに従って、大当りの発生を示す大当り情報、可変表示装置２０８の可変表示に利用された始動入賞球の個数を示す始動情報、確率変動が生じたことを示す確変情報等を外部の管理コンピュータ等に対して出力する第１情報出力回路２６４を含む。
【０１０４】
基本回路２５３は、ＲＯＭ２５４、ＲＡＭ２５５、ＣＰＵ２５６、Ｉ／Ｏポート２５７、および、クロック発生部２５０を含む。ＲＯＭ２５４は、ゲーム制御用のプログラム等の各種の情報（データ）を記憶するためのものである。ＲＡＭ２５５は、ワークメモリとして使用されるためのものである。ＣＰＵ２５６は、ゲーム制御用のプログラム等の各種の制御用プログラムに従って遊技制御動作等の制御動作を行う。Ｉ／Ｏポート２５７は、データおよび信号等の各種情報の入出力用に設けられた複数のポートを有する。クロック発生部２５０は、基本回路２５３が動作する場合の基準タイミングとなる動作クロックをＣＰＵ２５６等の基本回路２５３内の各部に与えるものである。
【０１０５】
さらに、遊技制御基板２３１には、電源投入時に基本回路２５３をリセットするための初期リセット回路２６６と、電源投入後に基本回路２５３を定期的にリセットするための定期リセット回路２６５と、基本回路２５３から与えられるアドレス信号をデコードしてＩ／Ｏポート２５７のうちのいずれかのＩ／Ｏポートを選択するための信号を出力するアドレスデコード回路２６７とが設けられている。
【０１０６】
基本回路２５３は、電源投入時において、初期リセット回路２６６により初期リセットされる。また、電源投入後、基本回路２５３は、定期リセット回路２６５により定期的（例えば、２ｍｓ毎）にリセットされ、割込み処理が実行される。これにより、割込み処理が実行される毎に、ゲーム制御用のプログラムが所定位置から再度実行される。
【０１０７】
打玉を発射する打球発射装置５００並びに該打球発射装置５００に打玉を供給する揚送ユニット４００は、発射揚送制御基板２９１上の回路により、前記打球発射装置５００の発射に同期して、前記揚送ユニット４００が間歇的にパチンコ球を揚送して打球発射装置５００に揚送球を供給するように制御される。
【０１０８】
そして、発射装置５００による発射球の発射勢いは、前記打球操作ハンドル２０５の操作量に従って発射装置５００内部に設けられている発射強度調整モータ５１２の動作が制御され、前記発射用スプリング５０４の付勢力が調節されることで、打球操作ハンドル２０５の操作量に従って調整される。すなわち、発射揚送制御基板２９１上の回路によって、打球操作ハンドル２０５の操作量に応じた速度で打球が発射されるように制御される。
【０１０９】
また、前記発射揚送制御基板２９１には、図７に示すように前記揚送ユニット４００内の前記球供給スプロケット４１３の近傍位置に設けられている揚送部材基準位置検出手段としてのスプロケット位置検出センサ４４０と、前記発射装置５００内の前記リフト用カム５０１ａ、発射用カム５０１ｂの近傍位置に設けられている発射部材基準位置検出手段としてのカム位置検出センサ４５０とが、接続されている。
【０１１０】
更に、前記発射揚送制御基板２９１には、図１に示す遊技領域２０７の右側に設けられている基準位置検出異常報知手段、同期異常報知手段としての異常報知ランプ２８５も接続されていて、前記スプロケット位置検出センサ４４０、カム位置検出センサ４５０により、基準位置出しや同期の異常などの異常が検出されて、報知ランプ駆動回路３３１にランプ制御信号が入力された際に、前記報知ランプ駆動回路３３１が異常報知ランプ２８５を駆動・点灯して店員などに対して該異常の発生を報知するようになっている。
【０１１１】
このように、本実施例では、前記異常報知ランプ２８５を用いて異常の報知をするようにしているが、本発明はこれに限定されるものではなく、これら異常の報知を、例えばスピーカなどを設けて、警報音や音声を出力することで報知するようにしても良い。
【０１１２】
また、遊技制御基板２３１から表示制御基板２８０には、可変表示装置２０８の可変表示部２０９の表示制御に関する指令情報として、表示制御コマンドデータと、ストローブ信号としての割込信号（以下、表示制御信号ＩＮＴともいう）とが伝送される。表示制御基板２８０側では、表示制御コマンドデータＣＤの指令内容にしたがって、可変表示部２０９の表示制御を行う。
【０１１３】
遊技制御基板２３１からランプ制御基板２３５には、ランプ制御基板２３５により制御が行われる遊技効果ＬＥＤ２２８ａ、賞球ランプ２５１、玉切れランプ２５２、および、遊技効果ランプ２２８ｂ、２２８ｃの制御に関する指令情報としてのランプ制御信号等の情報が伝送される。
【０１１４】
遊技制御基板２３１から音声制御基板２７０には、音声制御基板２７０によりスピーカ２２７から出力される効果音等の音声の制御に関する指令情報としての音声制御用コマンドデータ等の情報が伝送される。この音声制御用コマンドデータに応じて、音声制御基板２７０内に設けられた音声制御用のマイクロコンピュータは、スピーカ２２７からの効果音の発生等の音声制御を行う。
【０１１５】
また、基本回路２５３は、入賞球検出スイッチ２９９ａ〜ｃ検出信号と始動入賞口スイッチ２１７の検出信号、Ｖカウントスイッチ２２２の検出信号、カウントスイッチ２２３の検出信号に基づいて、所定個数の賞球を払出すための賞球信号を賞球制御基板２３７に出力する。賞球制御基板２３７では、その出力されてきた賞球信号に基づいて玉払出装置２９７を制御して所定個数の賞球を払出すための制御を行う。
【０１１６】
具体的には、可変入賞球装置２１９の大入賞口に入賞した入賞球については１個の入賞球がカウントＳＷに検出されることで例えば１５個の賞球が払出され、始動入賞口２１４に入賞した入賞球については１個の入賞球が始動入賞口ＳＷに検出されることでたとえば５個の賞球が払出され、その他の入賞口２２４ａ〜ｃのいずれかに入賞した入賞球については入賞球１個が各入賞口に対応して設けられた入賞球検出ＳＷ２９９ａ〜ｃのいずれかに検出されることでたとえば５個の賞球が払出されるように制御される。
【０１１７】
このような２種類の個数の賞球を払出制御するべく、遊技制御基板２３１は次のように制御動作を行う。入賞球検出スイッチ２６９ｆ、Ｖ球検出スイッチ２６９ｇ、始動入賞口スイッチ２１７、Ｖカウントスイッチ２２２またはカウントスイッチ２２３からの検出信号が入力されると、その検出信号を賞球の払出個数決定の際に用いる払出個数決定用データとして、スイッチに応じた賞球の払出個数別に一時的に内部に記憶する。その後、入賞球検出スイッチ２９９ａ〜ｃのいずれかの検出信号が入力されれば、その入力以前に始動入賞口スイッチ２１７からの検出信号があったかどうかを払出個数決定用データを参照することによって判断し、あった場合には遊技制御基板２３１は賞球制御基板２３７に対し「５」の賞球個数を払出指令するための賞球指令信号を出力する。また、カウントスイッチ２２３またはＶカウントスイッチ２２２からの検出信号があった場合には、「１５」の賞球個数を払出指令するための賞球指令信号を出力する。一方、入賞球検出スイッチ２９９ａ〜ｃのいずれかからの検出信号があった場合において、それ以前に始動入賞口スイッチ２１７、カウントスイッチ２２３またはＶカウントスイッチ２２２からのいずれかからも検出信号が入力されていなかった場合には、遊技制御基板２３１は「５」の賞球個数の賞球指令信号を賞球制御基板２３７に出力する。賞球制御基板２３７においては、賞球指令信号に基づいて、玉払出装置２９７から賞球を払出させる制御が払出制御用マイクロコンピュータにより実行される。
【０１１８】
また、満タンスイッチ２１３からの検出信号が満タン状態を示している場合には、その状況に応じて、賞球禁止指令信号を賞球制御基板２３７へ送り、玉払出装置２９７による賞球の払出を停止させる。
【０１１９】
また、賞球制御基板２３７上には、第２情報出力回路部２６８が設けられており、これら賞球制御基板２３７において制御される賞球の払い出し数の情報等を外部出力できるようになっている。
【０１２０】
また、賞球制御基板２３７は、前記カードユニット３のカードユニット制御基板（図示略）に設けられたＩ／Ｏポート３１９に接続ケーブル２６２並びに接続コネクタ２６３（図２、図８参照）を介して接続されており、後述の貸出完了信号（ＥＸＳ）やパチンコ機レディー信号（ＰＲＤＹ）が前記カードユニット３に設けられた後述のマイクロプロセッシングユニット（ＭＰＵ）３２１に出力されるようになっているとともに、前記カードユニット３のＭＰＵ３２１より出力される後述のカードユニットレディー信号（ＢＲＤＹ）や貸出要求完了確認信号（ＢＲＱ）が入力されるようになっている。
【０１２１】
また、前記操作基板１８は、図２並びに図８に示すように、前記カードユニット３のＩ／Ｏポート３１９に接続ケーブル２６２並びに前記接続コネクタ２６３を介して接続されており、前記貸出ボタン１６が操作されて遊技者による玉貸し操作がなされた場合に出力される貸出入力信号や、返却ボタン１５が操作されて遊技者による後述のカード挿入口３１４に挿入されたプリペイドカードの返却操作がなされた場合に出力される返却入力信号が前記カードユニット３のＭＰＵ３２１に出力されるようになっているとともに、該ＭＰＵ３２１からは、前記度数表示部１７の表示制御を行う度数信号が入力されるようになっており、これら度数表示部１７の表示制御が前記カードユニット３のＭＰＵ３２１からの出力信号によって実施されるようになっている。
【０１２２】
次いで、前記発射揚送制御基板２９１の詳細な構成について図２４を用いて説明すると、発射揚送制御基板２９１は、カム駆動モータ５１１と、揚送モータ４１０を駆動するためのモータ出力制御部と、前記発射強度調整モータ５１２を駆動するための発射強度調整モータ出力制御部と、各種入力信号に基づいて前記モータ出力制御部と発射強度調整モータ出力制御部の動作を制御する制御部と、から主に構成されている。
【０１２３】
まず、制御部には、遊技制御基板２３１における発射許諾判断に基づいて出力される発射制御信号が入力される外部入力処理回路３３２と、打球操作ハンドル２０５に遊技者の手が触れている場合において出力される信号が入力されるタッチセンサ入力回路３３３と、単発発射スイッチの非入力時に出力される単発発射スイッチ入力処理回路３３４と、前記外部入力処理回路３３２、前記タッチセンサ入力回路３３３、並びに前記単発発射スイッチ入力処理回路３３４からの信号全てが入力された場合においてのみ所定の信号出力を行うＡＮＤゲート回路３３６と、該ＡＮＤゲート回路３３６からの出力信号のＯＮ／ＯＦＦを行うためのゲートスイッチ３３５と、前記スプロケット位置検出センサ４４０と、カム位置検出センサ４５０から入力される信号に基づいて前記球供給スプロケット４１３と、リフト用カム５０１ａ、発射用カム５０１ｂとの同期を監視する同期監視ロジック回路３３７と、前記スプロケット位置検出センサ４４０から出力された信号に基づいて、揚送モータ原点センサ入力回路３３９から出力される信号により、球供給スプロケット４１３との基準位置出し動作等における前記揚送モータ４１０の動作内容を決定して出力する揚送モータ用ロジック回路３４０と、前記カム位置検出センサ４５０から出力された信号に基づいて、発射モータ原点センサ入力回路３３８から出力される信号により、リフト用カム５０１ａ、発射用カム５０１ｂとの基準位置出し動作等における前記カム駆動モータ５１１の動作を決定する発射モータ用ロジック回路３４１と、前記タッチセンサ入力回路３３３、同期監視ロジック回路３３７にクロックを与える発振回路３３０と、前記異常停止手段としての同期監視ロジック回路３３７からエラー信号が出力された場合等に前記異常報知ランプ２８５の点灯を制御する報知ランプ駆動回路３３１と、が設けられている。
【０１２４】
遊技者が遊技を行う際に、打球操作ハンドル２０５が遊技者により接触されるとともに所定角度以上回動されて、発射制御信号が遊技制御基板２３１から出力されると、ＡＮＤゲート回路３３６から揚送モータ用ロジック回路３４０、発射モータ用ロジック回路３４１へ信号が出力されることで、後述するモータ出力制御部を介して揚送モータ４１０、カム駆動モータ５１１が駆動されて、前記球供給スプロケット４１３と、リフト用カム５０１ａ、発射用カム５０１ｂと、が共に回動される。
【０１２５】
これに伴い前記球供給スプロケット４１３に設けられている前記検出片４４１と、リフト用カム５０１ａに設けられている前記検出片４５１も回動される。
【０１２６】
前記スプロケット位置検出センサ４４０と、カム位置検出センサ４５０に前記各検出片４４１、４５１が近接することで、前記スプロケット位置検出センサ４４０からは揚送モータ原点センサ入力回路３３９に、カム位置検出センサ４５０からは発射モータ原点センサ入力回路３３８に、前記スプロケット位置検出センサ４４０と、カム位置検出センサ４５０に前記各検出片４４１、４５１が近接した旨の信号が出力される。
【０１２７】
該出力信号に基づき、信号が入力された揚送モータ原点センサ入力回路３３９、発射モータ原点センサ入力回路３３８は、同期監視ロジック回路３３７、揚送モータ用ロジック回路３４０、発射モータ用ロジック回路３４１に信号を出力するようになっている。
【０１２８】
これらの信号から同期監視ロジック回路３３７は、揚送モータ４１０と、カム駆動モータ５１１とが同期動作しているのか否かを判定する。
【０１２９】
同期動作していると判定した場合にはゲートスイッチ３３５をｏｎとして、引き続き回動を実施し、同期動作していないと判定した場合には、ゲートスイッチ３３５をｏｆｆとして回動を停止するとともに、報知ランプ駆動回路３３１へ信号を出力し、異常報知ランプ２８５を点灯して、揚送に異常が生じていることを表示するようになっている。
【０１３０】
また、補整手段としての揚送モータ用ロジック回路３４０、発射モータ用ロジック回路３４１では、後述する揚送モータ用駆動出力段回路３４２、発射モータ用駆動出力段回路３４４にカム駆動モータ５１１、揚送モータ４１０をどのように動作するのかという旨の信号、具体的には、後述する基準位置出しを行うための動作信号と、発射・揚送を行うための１回転動作信号を出力するようになっている。
【０１３１】
次いで、モータ出力制御部には、揚送モータ４１０の駆動を、前記揚送モータ用ロジック回路３４０から出力された信号に基づき指示する揚送モータ用駆動出力段回路３４２と、該揚送モータ用駆動出力段回路３４２から指示された駆動電流パルスを生成する電流値設定回路３４３とが、またカム駆動モータ５１１の駆動を前記発射モータ用ロジック回路３４１から出力された信号に基づき指示する発射モータ用駆動出力段回路３４４と、該発射モータ用駆動出力段回路３４４から指示された駆動電流パルスを生成する電流値設定回路３４５とが互いに対になって設けられている。
【０１３２】
揚送モータ用駆動出力段回路３４２は、揚送モータ用ロジック回路３４０から出力される信号、すなわち揚送モータ４１０をどのように駆動するのかという旨の信号に基づき、電流値設定回路３４３において生成されるパルスの電流値を順次決定して電流値設定回路３４３へセットし、電流値設定回路３４３においては、該セットされた電流値の駆動電流パルスを生成して揚送モータ４１０へ送電することで揚送モータ４１０が駆動されるようになっている。
【０１３３】
同様に、発射モータ用駆動出力段回路３４４は、発射モータ用ロジック回路３４１から出力される信号、すなわちカム駆動モータ５１１をどのように駆動するのかという旨の信号に基づき、電流値設定回路３４５において生成されるパルスの電流値を順次決定して、電流値設定回路３４５へセットし、電流値設定回路３４５においては、該セットされた電流値の駆動電流パルスを生成してカム駆動モータ５１１へ送電することでカム駆動モータ５１１が駆動されるようになっている。
【０１３４】
次いで、発射強度調整モータ出力制御部には、前記打球操作ハンドル２０５に付属されているエンコーダから出力される打球操作ハンドル２０５の動作角度情報を検出するハンドル角度検出回路３４７と、該ハンドル角度検出回路３４７から出力される信号と、前記ＡＮＤゲート回路３３６から出力される信号とに基づいて、発射強度調整モータ５１２を駆動する駆動電流を指示する発射強度調整モータ用駆動出力回路３４８と、該発射強度調整モータ用駆動出力回路３４８から指示された駆動電流パルスを生成する電流値設定回路３４９とが対になって設けられている。
【０１３５】
発射強度調整モータ用ロジック回路３４６は、現時点における発射強度調整モータ５１２の動作に比較して、打球操作ハンドル２０５が更に回転されたか、それとも戻されたか、を、前記ハンドル角度検出回路３４７から受信し、その結果、打球操作ハンドル２０５が現時点よりも更に回転された場合には、発射強度調整モータ用駆動出力回路３４８に対して発射強度を強くする旨の信号を出力し、該発射強度調整モータ用駆動出力回路３４８は、発射用スプリング５０４の付勢に抗する方向へスライド片５０５をスライドさせるために発射強度調整モータ５１２を回転させるためのパルスを送り、これにより、現在の発射強度よりも発射強度が強くなる。また、打球操作ハンドル２０５が現時点よりも戻された場合には現在の発射強度よりも発射強度が弱くなるような制御を行うようになっている。
【０１３６】
次いで、本実施例における発射揚送制御基板２９１が行う制御処理内容について、図２５〜２６に示すフローチャートに基づき説明する。
【０１３７】
Ｓ１においてパチンコ機２の電源を投入すると、揚送モータ４１０、カム駆動モータ５１１の基準位置を検出する処理Ｉの動作を実行する。
【０１３８】
この処理Ｉにおいては、まず、揚送モータ４１０、カム駆動モータ５１１を一度ホールドし（Ｓ２）、Ｓ３において基準位置出し動作した回数をカウントするためのカウンタＮに０をセットする。
【０１３９】
その際、カム位置検出センサ４５０がｏｎか、すなわち検出片４５１とカム位置検出センサ４５０とが近接した状態でカム位置検出センサ４５０により該検出片４５１が検出されているか否かを判定し（Ｓ４）、カム位置検出センサ４５０がｏｎである、すなわちリフト用カム５０１ａ並びに発射用カム５０１ｂが所定の基準位置にあると判定された場合にはＳ９へ進み、カム位置検出センサ４５０がｏｎでないと判定された場合には、Ｓ５へ進み、カム駆動モータ５１１を現時点から８ステップ分動作させるためのパルスを電流値設定回路３４５から出力するための処理を実行する。
【０１４０】
尚、本実施例において揚送モータ４１０、カム駆動モータ５１１に使用されているモータは、３８４ステップ動作されることで１回転するようになっており、前記Ｓ５における４８分の１回転の実施後に、前記Ｓ３においてセットしたカウンタＮに１を加算する（Ｓ６）。
【０１４１】
このカウンタＮはＳ７においてＮ＝４８か否かを判定するようになっていて、該判定が否（Ｎｏ）、つまりはカム駆動モータ５１１が１回転していない場合には、Ｓ４に戻って、再度カム位置検出センサ４５０がｏｎであるかを判定し、該Ｓ４における判定が否（Ｎｏ）である場合には、Ｓ５→Ｓ６→Ｓ７→Ｓ４→Ｓ５が繰返し実施されることで、４８分の１回転の動作による前記カム位置検出センサ４５０による検出片４５１の検出が繰返し実施される。
【０１４２】
これらＳ５→Ｓ６→Ｓ７→Ｓ４→Ｓ５の繰返しにおいて、カウンタＮに順次１が加算されていき、Ｎ＝４８、つまりこれら検出片４５１の検出においてリフト用カム５０１ａ並びに発射用カム５０１ｂが１周した場合には、該１周したことがＳ７により検出されることに基づき異常と判断してＳ８へ進み、異常報知処理、具体的には、報知ランプ駆動回路３３１が異常報知ランプ２８５を駆動、点灯して異常状態を報知するようになっている。
【０１４３】
また、Ｎ＝４８となる前に、カム駆動モータ５１１の基準位置が検出された場合にはＳ９において基準位置でカム駆動モータ５１１を一度ホールドした後に１回転させる（Ｓ１０）。この動作は、発射装置５００内にパチンコ球が残っている可能性があるため、一度空打ちをして確実に発射装置５００内にパチンコ球を確実に空の状態にするためである。次いで、１回転させた後にそのままカム駆動モータを基準位置でホールドし（Ｓ１１）、次いで揚送モータ４１０の基準位置を検出する処理に移行する。
【０１４４】
Ｓ１２では、上記Ｓ３と同様に、基準位置出し動作した回数をカウントするためのカウンタＭに０をセットする。
【０１４５】
その際、スプロケット位置検出センサ４４０がｏｎか、すなわち検出片４４１とスプロケット位置検出センサ４４０とが近接した状態でスプロケット位置検出センサ４４０により該検出片４４１が検出されているか否かを判定し（Ｓ１３）、スプロケット位置検出センサ４４０がｏｎである、すなわち球供給スプロケット４１３が所定の基準位置にあると判定された場合にはＳ１８へ進み、スプロケット位置検出センサ４４０がｏｎでないと判定された場合には、Ｓ１４へ進み、揚送モータ４１０を現時点から８ステップ分動作させるためのパルスを電流値設定回路３４３から出力するための処理を実行する。
【０１４６】
尚、前記したように、本実施例において揚送モータ４１０、カム駆動モータ５１１に使用されているモータは、３８４ステップ動作されることで１回転するようになっており、前記Ｓ１４における４８分の１回転の実施後に、前記Ｓ１２においてセットしたカウンタＭに１を加算する（Ｓ１５）。
【０１４７】
このカウンタＭはＳ１６においてＭ＝４８か否かを判定するようになっていて、該判定が否（Ｎｏ）、つまりは揚送モータ４１０が１回転していない場合には、Ｓ１３に戻って、再度スプロケット位置検出センサ４４０がｏｎであるかを判定し、該Ｓ１３における判定が否（Ｎｏ）である場合には、Ｓ１４→Ｓ１５→Ｓ１６→Ｓ１３→Ｓ１４が繰返し実施されることで、４８分の１回転の動作による前記スプロケット位置検出センサ４４０による検出片４４１の検出が繰返し実施される。
【０１４８】
これらＳ１４→Ｓ１５→Ｓ１６→Ｓ１３→Ｓ１４の繰返しにおいて、カウンタＭに順次１が加算されていき、Ｍ＝４８、つまりこれら検出片４４１の検出において球供給スプロケット４１３が１周した場合には、該１周したことがＳ１６により検出されることに基づき異常と判断してＳ１７へ進み、Ｓ８と同様に異常状態を報知するようになっている。
【０１４９】
このように、Ｓ８、Ｓ１７では、基準位置出しの際にエラーが生じた場合には、異常報知ランプ２８５を点灯して異常を報知するようになっており、このようにすることは、前記基準位置の検出異常や同期異常を容易に認識でき、発射装置５００や揚送ユニット４００が損傷したいようにすること等の迅速な対応ができるようになることから好ましいが、本発明はこれに限定されるものではなく、これら異常報知を実施しない構成としても良い。
【０１５０】
また、Ｍ＝４８となる前に、揚送モータ４１０の基準位置が検出された場合にはＳ１８において基準位置で揚送モータ４１０を一度ホールドして、Ａへ進むようになっている。
【０１５１】
次いで、Ａへ進み、Ｓ１９において前記操作ハンドル２０５に内在されている図示しないタッチセンサがｏｎであるか否かが、Ｓ２０において単発発射スイッチがｏｎとなっているか否かが、また、Ｓ２１において遊技制御基板２３１からの発射制御信号の出力があるか否かが、それぞれ判定されるようになっており、これらＳ１９〜Ｓ２１の判定は、前記ＡＮＤゲート回路３３６に前記タッチセンサ、単発発射スイッチ並びに発射制御信号の全てが入力されることで、該ＡＮＤゲート回路３３６から所定信号が揚送モータロジック回路３４０、発射モータロジック回路３４１並びに発射強度調整用モータロジック回路３４６に出力されることで、揚送モータロジック回路３４０並びに発射モータロジック回路３４１から動作信号出力（１回転）が前記揚送モータ用駆動出力段回路３４２並びに発射モータ用駆動出力段回路３４４に出力されることにより、カム駆動モータ５１１並びに揚送モータ４１０が同時に１回転駆動されることで、これらカム駆動モータ５１１に同軸で接続されているリフト用カム５０１ａ並びに発射用カム５０１ｂや、揚送モータ４１０に同軸で接続されている球供給スプロケット４１３が、同時に１回転駆動される（Ｓ２２）。
【０１５２】
次いで、Ｓ２３において、所定時間、具体的には球供給スプロケット４１３や、リフト用カム５０１ａ並びに発射用カム５０１ｂが１回転するのに要する時間よりもやや長い時間内にスプロケット位置検出センサ４４０、あるいはカム位置検出センサ４５０のどちらかのセンサがｏｎとなったか、すなわち、前記リフト用カム５０１ａに設けられている検出片４５１がカム位置検出センサ４５０の位置に停止して検出され続けているか、または、前記球供給スプロケット４１３に設けられている検出片４４１が、スプロケット位置検出センサ４４０の位置に停止して検出され続けているかを判定する。
【０１５３】
このＳ２３の判定において所定時間内に双方のセンサ検出がない場合には、カム駆動モータ５１１、揚送モータ４１０の双方が損耗や何らかの理由で回転速度が低下している判定できるため、再度Ｓ２へ戻り、揚送モータ４１０、カム駆動モータ５１１の基準位置を検出する動作に戻る。
【０１５４】
また、Ｓ２３の判定において所定時間内にどちらかのセンサ検出があった場合にはＳ２４へ進んでタイマカウントをスタートするとともに、Ｓ２５に進んで、もう一方のセンサ検出があるか否かを判定し、該Ｓ２５の判定においてもう一方のセンサ検出がある場合には前述したＳ１９へ戻って、前記Ｓ１９〜Ｓ２１の判定がＹＥＳであることに基づいて、カム駆動モータ５１１並びに揚送モータ４１０が同時に１回転駆動されることで、揚送、発射の同期動作が繰り返されるようになっている。
【０１５５】
また、前記Ｓ２５の判定においてもう一方のセンサ検出が無い場合にはＳ２６に進んでタイマカウントが終了（ＵＰ）しているか否かを判定するようになっており、該Ｓ２６の判定においてタイマカウントが終了（ＵＰ）していない場合には再度Ｓ２５に戻るようになっていて、Ｓ２５→Ｓ２６→Ｓ２５が繰返し実施されることで、タイマカウントが終了（ＵＰ）する所定時間内にもう一方のセンサ検出が有るか否かを判定できるようになっている。
【０１５６】
この状態において所定時間内にもう一方のセンサ検出があった場合には、前記カム駆動モータ５１１並びに揚送モータ４１０により駆動されるリフト用カム５０１ａ並びに発射用カム５０１ｂや、球供給スプロケット４１３の同期のズレが許容範囲内であると判定して、前記Ｓ１９へ戻って揚送、発射の同期動作が繰り返されるが、所定時間内にもう一方のセンサ検出が無かった場合には、Ｓ２６においてタイマカウントが終了（ＵＰ）することで検出されてＳ２７に進み、該Ｓ２７においてゲートスイッチ３３５をｏｆｆとすることで揚送、発射の動作が停止されるとともに、Ｓ２８に進んで前記同期監視ロジック回路３３７内のエラーレジスタに１を加算する。
【０１５７】
このように、Ｓ２７において、所定時間内にもう一方のセンサ検出が無く、タイマカウントが終了（ＵＰ）した場合に、ゲートスイッチ３３５をｏｆｆとすることで、揚送ユニット４００、発射装置５００の動作が停止するような制御となっていて、このようにすることにより発射装置５００や揚送ユニット４００の破損を回避できることから好ましいが、本発明はこれに限定されるものではなく、ゲートスイッチ３３５を設けない構成として、動作を止めないような制御となっていてもよい。
【０１５８】
次いで、Ｓ２９ではエラーレジスタが３となったかを判定し、エラーレジスタが３ではないと判定した場合には、Ｓ３１に進んでゲートスイッチ３３５をｏｎとした後に、再び処理Ｉ、すなわち図２５に示されている揚送モータ４１０、カム駆動モータ５１１の基準位置を検出する動作に戻り、揚送モータ４１０、カム駆動モータ５１１の基準位置を検出して、揚送モータ４１０、カム駆動モータ５１１の基準位置を確認した後に、前述したＳ１９へ戻ることで、揚送、発射処理を再度実施するようになっている。
【０１５９】
このように、Ｓ２７では、タイマカウントが終了したことにより揚送ユニット４００、発射装置５００の動作が停止するような制御となっており、Ｓ２９においてエラーレジスタが３未満である場合には、前記ゲートスイッチ３３５を再びＯＮとして揚送ユニット４００、発射装置５００の動作を再度実施するようになっていて、これにより動作停止による遊技への影響を最小限に抑えることができることから好ましいが、本発明はこれに限定されるものではなく、異常が発生した場合には必ず動作を停止させるようになっていてもよい。
【０１６０】
また、これら揚送、発射処理を繰り返す間に、前記Ｓ２６における判定にて、所定時間内にもう一方のセンサ検出が無いとの判定が繰返し為され、エラーレジスタが３となった場合、すなわち、３回のエラーが検出された場合には、揚送モータ４１０、カム駆動モータ５１１いずれかの回転速度が遅く、同期不全となっていると判定できるため、前記Ｓ８と同様の異常報知処理を実施するようになっている（Ｓ３０）。
【０１６１】
このように本実施例では、Ｓ２９において、３回のエラーが検出されたと判定された場合には、前記Ｓ８と同様の異常報知処理を実施するようになっているが、本発明はこれに限定されるものではなく、このような異常報知を行わないような構成となっていてもよい。
【０１６２】
また、Ｓ４、Ｓ１３で揚送モータ４１０、カム駆動モータ５１１の基準位置を検出するために各々のセンサの検出を行い、検出がなければＳ５、Ｓ１４による各モータ回転を実行するようにしているが、各モータ回転を行った後に前記各々のセンサによる検出を行ってもよい。
【０１６３】
次いで、本実施例に用いたカードユニット３について図１並びに図８に基づき説明すると、該カードユニット３の前面には、図１に示すように、点灯によりカードユニット３の動作を報知する動作ランプ３０１と、プリペイドカードが使用可能状態であるか否かを表示する使用可能表示器３０２と、当該カードユニット３がいずれの側のパチンコ機２に対応しているか否かを表示するための連結台方向表示器３０３と、プリペイドカードを挿入可能とされたカード挿入口３１４と、が設けられている。
【０１６４】
このカードユニット３の構成を説明すると、図８に示すように、前記動作ランプ３０１や、使用可能表示器３０２や、連結台方向表示器３０３に加えて、前記カード挿入口３１４に連設され、挿入されるプリペイドカードに記録されている後述の識別情報（ＩＤ）や遊技用価値である度数の読み出し並びに遊技により更新された新たな度数の書き込み等を行うカードリーダライタ３１７と、前記挿入されたプリペイドカードから読み出しおよび書き込まれる度数等を記憶するとともに、後述するＭＰＵ３２１が実行する制御内容等が記述された制御プログラム等を記憶する記憶部３１８と、前記接続ケーブル２６２が接続され、前記パチンコ機２の賞球制御基板２３７や操作基板１８との各種信号の入出力が行われるＩ／Ｏポート３１９と、通信ケーブルを介して図示しない管理コンピュータとのデータ通信を行うための通信部３２５と、これら各部並びに前記操作基板１８に実装された度数表示部１７の表示制御や入力検出等を行うＭＰＵ３２１と、を具備しており、これら各部は図８に示すように接続されている。
【０１６５】
また、これら各カードユニット３は、前述のように、図示しない管理コンピュータに接続されており、前記プリペイドカードが挿入された場合や、該挿入されているプリペイドカードから読み出され記憶部３１８に記憶されている度数に変更が加えられた場合や、該挿入されているプリペイドカードの返却処理並びに回収処理等が行われた場合に、該プリペイドカードに記録された後述の識別情報（ＩＤ）や度数データ、変更された新たな度数データ等が前記管理コンピュータに出力されるようになっている。
【０１６６】
前記カード挿入口３１２に挿入されるプリペイドカードには、個々のプリペイドカードを識別可能な識別情報（ＩＤ）が付与、記録されているとともに、前記管理コンピュータにおいてこれらプリペイドカードのＩＤと、該当するプリペイドカードが該当する度数とが対応付けて登録されており、前記プリペイドカードに記録された識別情報（ＩＤ）に基づいて、該プリペイドカードにより使用可能な度数が、前記管理コンピュータにて特定され、該カードユニット３に通知されて前記記憶部３１８に記憶されることで、該記憶された度数に基づき前記パチンコ機２の遊技に使用されるパチンコ玉の貸出を行う貸出処理が実施可能とされている。
【０１６７】
この貸出処理の制御状況を図９に基づいて説明すると、まず前記パチンコ機２の賞球制御基板２３７は、該パチンコ機２の球タンク２３８（図２参照）に玉が供給されてパチンコ玉の払出が可能な状態となるとスタンバイ状態となり、前記ＰＲＤＹをＬＯＷとしてカードユニット３のＭＰＵ３２１に出力する（Ｓ１）。
【０１６８】
このようにＰＲＤＹがＬＯＷとされている状態において前記貸出ボタン１６が操作されると、カードユニット３のＭＰＵ３２１は、前記ＢＲＤＹをＬＯＷとして前記賞球制御基板２３７に出力し（Ｓ２）、この状態において、更に前記ＢＲＱをＬＯＷとして前記賞球基板２３７に出力する（Ｓ３）。
【０１６９】
次いで、前記賞球制御基板２３７は、前記ＭＰＵ３２１より出力されているＢＲＤＹを検出している状態においてＢＲＱを検出すると、前記ＥＸＳをＬＯＷとしてＭＰＵ３２１に出力する（Ｓ４）。
【０１７０】
該ＥＸＳのＬＯＷを検出したＭＰＵ３２１は、前記ＢＲＱの出力をＨＩＧＨとし、該ＢＲＱのＨＩＧＨを検出した賞球制御基板２３７は、玉払出装置２９７に玉払出信号を出力し、これに基づき１度数に該当する玉数（本実施例では２５玉）の払出が実施されるとともに、該払出の終了に基づき、前記ＥＸＳの出力をＨＩＧＨとする（Ｓ５）。
【０１７１】
該ＥＸＳのＨＩＧＨを検出したＭＰＵ３２１は、前記カードユニット３のカード挿入部３１４に挿入されているプリペイドカードより読み出されて記憶部３１８に記憶されている度数から１度を減算するとともに、前記度数表示部１７に表示されている度数から１度を減算して表示更新する（Ｓ６）。
【０１７２】
ＭＰＵ３２１は、これら（Ｓ３）〜（Ｓ６）の制御を、１回の貸出ボタン１６の操作に基づいて貸し出される度数分繰返し実施し（図９中においては５度分）、これら制御が終了した後、ＢＲＤＹをＨＩＧＨとして、貸出処理を完了する（Ｓ７）。
【０１７３】
このようにカードユニット３のＭＰＵ３２１からＢＲＱが出力される回数に基づき、前記賞球基板２３７は１度分に該当する数量（２５玉）のパチンコ玉の貸出を実施するようになっており、このようにして貸出されたパチンコ玉を使用して遊技者はパチンコ機２における遊技を実施できるようになっている。
【０１７４】
以上説明したように、本実施例の弾球遊技機であるパチンコ機２によれば、電源の投入に基づいて、前記スプロケット位置検出センサ４４０による球供給スプロケット４１３の基準位置の検出並びに前記カム位置検出センサ４５０による、リフト用カム５０１ａ、発射カム５０１ｂの基準位置の検出を行い、前記リフト用カム５０１ａ、発射カム５０１ｂを各々の基準位置に停止させた後、所定の発射操作に応じて、前記遊技球の揚送と発射動作とが同期するように、前記揚送モータ４１０並びに前記カム駆動モータ５１１による前記球供給スプロケット４１３と前記リフト用カム５０１ａ、発射カム５０１ｂの駆動制御を行う発射揚送制御基板２９１を備えることで、起動時等において、前記球供給スプロケット４１３とリフト用カム５０１ａ、発射カム５０１ｂとが予め定められた駆動開始位置に停止させた後、同期して連動するように駆動が開始されるようになるため、揚送ユニット４００と発射装置５００との同期のズレが生じず、遊技球の発射の不具合（不能）を確実に防止することができる。
【０１７５】
前記実施例における各要素は、本発明に対して以下のように対応している。
本発明の請求項１は、遊技に使用する遊技球（パチンコ球）を貯留するための打球貯留部（打球供給皿２０３）と、該打球貯留部に貯留されている遊技球を発射位置へ揚送する揚送装置（揚送ユニット４００）と、弾球遊技機（パチンコ機２）の上部側方位置に設けられ、該揚送装置にて前記発射位置に揚送された遊技球を遊技盤（２０６）上に形成された遊技領域（２０７）内に打ち出すための発射装置（５００）と、を備える弾球遊技機（パチンコ機２）において、前記揚送装置（揚送ユニット４００）は、前記遊技球を該遊技球に当接して揚送するための揚送部材（揚送スクリュー４０３）と、該揚送部材を駆動するための揚送駆動部（揚送モータ４１０）と、該揚送駆動部による駆動における前記揚送部材の基準位置を検出するための揚送部材基準位置検出手段（スプロケット位置検出センサ４４０）と、を備えるとともに、前記発射装置（５００）は、前記揚送装置（揚送ユニット４００）から供給された遊技球を発射するための発射部材（発射アーム５０３、リフト用カム５０１ａ、発射用カム５０１ｂ）と、該発射部材を駆動するための発射駆動部（カム駆動モータ５１１）と、該発射駆動部による駆動における前記発射部材（リフト用カム５０１ａ、発射用カム５０１ｂ）の基準位置を検出するための発射部材基準位置検出手段（カム位置検出センサ４５０）と、を備え、電源の投入に基づいて、前記揚送部材基準位置検出手段（スプロケット位置検出センサ４４０）による揚送部材（揚送スクリュー４０３）の基準位置の検出並びに前記発射部材基準位置検出手段（カム位置検出センサ４５０）による発射部材（リフト用カム５０１ａ、発射用カム５０１ｂ）の基準位置の検出を行い、前記揚送部材（揚送スクリュー４０３）と前記発射部材（リフト用カム５０１ａ、発射用カム５０１ｂ）との位置を前記揚送部材と発射部材との各々の基準位置となるようにした後、所定の発射操作に応じて、前記発射位置（５００）への揚送部材（球供給スプロケット４１３）による遊技球の揚送と前記発射部材（リフト用カム５０１ａ、発射用カム５０１ｂ）による発射動作とが同期するように、前記揚送駆動部（揚送モータ４１０）並びに前記発射駆動部（カム駆動モータ５１１）による前記揚送部材（揚送スクリュー４０３）と前記発射部材（リフト用カム５０１ａ、発射用カム５０１ｂ）の駆動制御を行う
駆動制御手段（発射揚送制御基板２９１）を備える。
【０１７６】
本発明の請求項２は、前記発射装置（５００）は、前記発射部材（発射アーム５０３）を前記発射駆動部（カム駆動モータ５１１）による回転駆動により揺動駆動するためのカム部材（リフト用カム５０１ａ、発射用カム５０１ｂ）を備え、前記発射部材基準位置検出手段（カム位置検出センサ４５０）は、前記カム部材（リフト用カム５０１ａ、発射用カム５０１ｂ）の基準位置を検出する構成とされている。
【０１７７】
本発明の請求項３は、前記揚送装置（揚送ユニット４００）は、前記打球貯留部（打球供給皿２０３）に貯留された遊技球を、前記発射装置（５００）における発射動作に同期して前記揚送部材（揚送スクリュー４０３）に対し供給するように、前記揚送駆動部（揚送モータ４１０）により駆動される揚送球供給部材（球供給スプロケット４１３）を備え、前記揚送部材基準位置検出手段（スプロケット位置検出センサ４４０）は、前記揚送球供給部材（球供給スプロケット４１３）の基準位置を検出する構成とされている。
【０１７８】
本発明の請求項４は、前記駆動制御手段（発射揚送制御基板２９１）は、前記発射駆動部（カム駆動モータ５１１）並びに前記揚送駆動部（揚送モータ４１０）による前記発射部材（リフト用カム５０１ａ、発射用カム５０１ｂ）及び前記揚送部材（揚送スクリュー４０３）の所定量の駆動実施において、前記発射部材基準位置検出手段（カム位置検出センサ４５０）或いは前記揚送部材基準位置検出手段（スプロケット位置検出センサ４４０）のいずれかが基準位置を検出しなかったときに、該基準位置の検出異常を報知するための基準位置検出異常報知手段（異常報知ランプ２８５、報知ランプ駆動回路３３１）を備える。
【０１７９】
本発明の請求項５は、前記駆動制御手段（発射揚送制御基板２９１）は、前記発射装置（５００）並びに揚送装置（揚送ユニット４００）の動作中において、前記発射部材基準位置検出手段（カム位置検出センサ４５０）或いは前記揚送部材基準位置検出手段（スプロケット位置検出センサ４４０）による基準位置の検出に基づいて、前記発射部材（リフト用カム５０１ａ、発射用カム５０１ｂ）と前記揚送部材（揚送スクリュー４０３）との同期を監視し、該駆動制御手段の監視において同期していないことが検出されたときに、前記発射駆動部（カム駆動モータ５１１）並びに前記揚送駆動部（揚送モータ４１０）を停止させる異常停止手段（ゲートスイッチ３３５、同期監視ロジック回路３３７）を備える。
【０１８０】
本発明の請求項６は、前記駆動制御手段（発射揚送制御基板２９１）は、前記異常停止手段（ゲートスイッチ３３５、同期監視ロジック回路３３７）によって前記発射駆動部（カム駆動モータ５１１）並びに前記揚送駆動部（揚送モータ４１０）を停止させた後に、前記揚送部材基準位置検出手段（スプロケット位置検出センサ４４０）による揚送部材（揚送スクリュー４０３）の基準位置の検出並びに前記発射部材基準位置検出手段（カム位置検出センサ４５０）による前記発射部材（リフト用カム５０１ａ、発射用カム５０１ｂ）の基準位置の検出に基づき、前記揚送部材（球供給スプロケット４１３）と前記発射部材（リフト用カム５０１ａ、発射用カム５０１ｂ）とを、再度前記揚送部材と前記発射部材との各々の基準位置に停止させた後、前記揚送部材と前記発射部材の駆動を再開させる補整手段（ゲートスイッチ３３５、揚送モータ用ロジック回路３４０、発射モータ用ロジック回路３４１）を備える。
【０１８１】
本発明の請求項７は、前記駆動制御手段（発射揚送制御基板２９１）は、前記補整手段（ゲートスイッチ３３５、揚送モータ用ロジック回路３４０、発射モータ用ロジック回路３４１）によって前記揚送部材基準位置検出手段（スプロケット位置検出センサ４４０）或いは前記発射部材基準位置検出手段（カム位置検出センサ４５０）のいずれかの基準位置の検出が、前記発射駆動部（カム駆動モータ５１１）並びに前記揚送駆動部（揚送モータ４１０）による前記発射部材（リフト用カム５０１ａ、発射用カム５０１ｂ）及び前記揚送部材（揚送スクリュー４０３）の所定量の駆動実施において検出されないときに、基準位置の検出異常を報知するための同期異常報知手段（異常報知ランプ２８５、報知ランプ駆動回路３３１）を備える。
【０１８２】
以上、本発明の実施形態を図面により前記実施例にて説明してきたが、本発明はこれら各実施例に限定されるものではなく、本発明の主旨を逸脱しない範囲における変更や追加があっても本発明に含まれることは言うまでもない。
【０１８３】
例えば、前記実施例では、阻止片となるスライド板４３０の可動方向が、打球貯留部である前記打球供給皿２０３の離脱方向とほぼ同一方向としており、このようにすることは、スライド板４３０を可動させるための機構を簡素化でき、これらストッパー部４２９を設けることによるコスト上昇をより低減できることから好ましいが、本発明はこれに限定されるものではなく、例えば図２３に示すように、連結流路４１５’の側方に誘導傾斜樋２８３’が連結する構成とし、該連結部にスライド板４３０の可動方向が係合突出部４３５との係合により打球供給皿２０３の離脱方向とほぼ直交する方向となるようにしても良い。
【０１８４】
また、前記実施例では、前記打球供給皿２０３の離脱によって阻止片である前記スライド板４３０がパチンコ球の溢流を阻止する位置へ移動するようにバネ部材である前記付勢バネ４３２が付勢するようにしているが、本発明はこれに限定されるものではなく、これらバネ部材が前記スライド板４３０をパチンコ球の溢流を阻止しない位置へ移動するように付勢し、打球供給皿２０３の離脱によって阻止片である前記スライド板４３０をバネ部材の付勢に抗してパチンコ球の溢流を阻止する位置へ移動するようにしても良い。
【０１８５】
また、前記実施例では、前記球供給スプロケット４１３に供給されるパチンコ球の球圧を緩和するためにクランク流路４１６や連結流路４１５を設けており、このようにすることは、これら球供給スプロケット４１３に供給される球圧が高いことに伴うパチンコ球の供給不具合の発生を回避することができることから好ましいが、本発明はこれに限定されるものではなく、これらクランク流路４１６や連結流路４１５を有しない構成としても良い。
【０１８６】
また、前記実施例では、揚送通路内に存在するパチンコ球を２つとしているが、本発明はこれに限定されるものではなく、十分な揚送速度が得られる場合は、これら揚送通路内に存在するパチンコ球を１つ或いは０とするようにしても良い。
【０１８７】
また、前記実施例では、前記Ｓ２３において、揚送モータ４１０、カム駆動モータ５１１の基準位置が検出中、つまりは揚送モータ４１０、カム駆動モータ５１１が基準位置に停止しているか否かを監視することで、あるいはこれら揚送モータ４１０、カム駆動モータ５１１の基準位置の検出時間のズレが所定時間以内であるか否かを監視することで、あるいは１駆動回転の初めと終了とにおいて、揚送モータ４１０、カム駆動モータ５１１が同様に回転開始、回転終了しているかを監視することで、同期監視を実施しており、このようにすることは、例えば損耗や破損等によって揚送モータ４１０、カム駆動モータ５１１のいずれかの回転動作が遅くなって生じる回転終了時の同期ズレをも検知できるようになり、確実に揚送モータ４１０と、カム駆動モータ５１１との同期が得られることから好ましいが、本発明はこれに限定されるものではなく、例えば、前記処理Ｉにおける基準位置出しの処理と同様に、図２７のＳａ１〜Ｓａ１５に示すような処理にて、１回転動作した揚送モータ４１０、カム駆動モータ５１１が、基準位置に停止しているが否かを判定し、基準位置に停止していない場合には、基準位置出しを実施した後に、揚送モータ４１０、カム駆動モータ５１１を同時に回転開始させることで、実使用上において問題のない同期を得られるように制御しても良い。
【０１８８】
【発明の効果】
本発明は次の効果を奏する。
（ａ）請求項１の発明によれば、起動時等において、前記揚送部材と発射部材とが予め定められた駆動開始位置に停止した後、同期して連動するように駆動が開始されるようになるため、揚送装置と発射装置との同期のズレが生じず、遊技球の発射の不具合（不能）を確実に防止することができる。
【０１８９】
（ｂ）請求項２の発明によれば、前記カム部材は、発射部材の１サイクルの発射動作にて１回転することから、該カム部材の近傍に発射部材基準位置検出手段を設けることで、該発射動作の特定の位置を一義的に基準位置にできることから、これら基準位置を容易に検出できる。
【０１９０】
（ｃ）請求項３の発明によれば、揚送部材基準位置検出手段を、前記発射装置における１サイクルの発射動作に同期して前記揚送部材に対し遊技球を供給するように駆動される揚送球供給部材の近傍に設けることで、前記発射動作における基準位置に対応する特定の位置を基準位置にできるとともに、該基準位置を一義的かつ容易に検出できる。
【０１９１】
（ｄ）請求項４の発明によれば、前記基準位置の検出異常を容易に認識でき、迅速な対応ができる。
【０１９２】
（ｅ）請求項５の発明によれば、前記同期異常状態における前記発射駆動部並びに前記揚送駆動部の駆動継続により、前記発射装置或いは揚送装置が損傷することを回避できる。
【０１９３】
（ｆ）請求項６の発明によれば、前記同期異常を検出した場合でも、再度同期を迅速に回復することができ、遊技への影響を最小限に抑えることができる。
【０１９４】
（ｇ）請求項７の発明によれば、前記同期異常の発生を容易に認識でき、迅速な対応ができる。
【図面の簡単な説明】
【図１】本発明における実施例の弾球遊技機並びにカードユニットを示す正面図である。
【図２】本発明における実施例の弾球遊技機並びにカードユニットを示す背面図である。
【図３】本発明における実施例の弾球遊技機におけるガラス扉枠の開放状態を示す図である。
【図４】本発明の実施例における弾球遊技機の前面下部部分の構成を示す拡大図である。
【図５】本発明における実施例の弾球遊技機における機構板によるパチンコ球流路を示す図である。
【図６】本発明における実施例の弾球遊技機における機構板を示す斜視図である。
【図７】本発明の実施例における弾球遊技機の構成を示すブロック図である。
【図８】本発明の実施例における弾球遊技機とカードユニットとの接続状況並びに該カードユニットの構成を示すブロック図である。
【図９】本発明の実施例における弾球遊技機の賞球制御基板とカードユニットとから出力される各信号の出力状況を示す図である。
【図１０】本発明の実施例の弾球遊技機に用いた払出装置を示す図である。
【図１１】（ａ）、（ｂ）は、本発明の実施例の弾球遊技機における払出状況の説明図である。
【図１２】（ａ）は、本発明の実施例に用いた揚送装置並びに発射装置を示す側断面詳細図である。
（ｂ）は、本発明の実施例に用いた揚送装置のｂ−ｂ断面を示す図である。
【図１３】本発明の実施例に用いた揚送装置の下端部分を示す透視斜視図である。
【図１４】（ａ）〜（ｄ）は、本発明の実施例の揚送装置へのパチンコ球の供給状況の説明図である。
【図１５】（ａ）〜（ｃ）は、本発明の実施例に用いた発射装置における発射状況を示す図である。
【図１６】（ａ）〜（ｃ）は、本発明の実施例に用いた発射装置におけるファール球の取込状況を示す図である。
【図１７】本発明の実施例の弾球遊技機における通常時の遊技球の流れを示す図である。
【図１８】本発明の実施例の弾球遊技機におけるファール球の流れを示す図である。
【図１９】本発明の実施例の弾球遊技機における待機球返却時の遊技球の流れを示す図である。
【図２０】本発明の実施例の弾球遊技機における待機球返却部の周囲の構成を示す拡大透視図である。
【図２１】（ａ）は、待機球返却部の返却操作時の状況を示す上面図である。
（ｂ）は、待機球返却部の通常時の状況を示す上面図である。
【図２２】（ａ）は、ガラス扉枠２０２の解放時のストッパー部の状態を示す図である。
（ｂ）は、ガラス扉枠２０２の開閉時のストッパー部の状態を示す図である。
【図２３】（ａ）は、その他の形態のストッパー部の離脱時状態を示す図である。
（ｂ）は、その他の形態のストッパー部の装着時状態を示す図である。
【図２４】発射揚送制御基板の詳細を示すブロック図である。
【図２５】発射揚送制御基板の処理制御内容を示すフローチャートである。
【図２６】発射揚送制御基板の処理制御内容を示すフローチャートである。
【図２７】本発明の実施例における変形例を示すフローチャートである。
【符号の説明】
２　　　　パチンコ機（弾球遊技機）
３　　　　カードユニット
１４　　　操作部
１５　　　返却ボタン
１６　　　貸出ボタン
１７　　　度数表示部
１８　　　操作基板
２０１　　遊技機枠
２０２　　ガラス扉枠
２０３　　打球供給皿（上皿）
２０３’　上皿ハウジング
２０４　　余剰玉受皿（下皿）
２０４’　下皿ハウジング
２０５　　打球操作ハンドル
２０６　　遊技盤
２０７　　遊技領域
２０８　　可変表示装置
２０９　　可変表示部
２１０　　表示器
２１１ａ　通過ゲート
２１１ｂ　通過ゲート
２１１ｃ　通過ゲート
２１２ａ　ゲートスイッチ
２１２ｂ　ゲートスイッチ
２１２ｃ　ゲートスイッチ
２１３　　満タンスイッチ
２１４　　始動入賞口
２１５　　可動片
２１６　　ソレノイド
２１７　　始動ロスイッチ
２１８　　始動入賞記憶表示器
２１９　　可変入賞球装置
２２０　　開閉板
２２１　　ソレノイド
２２２　　Ｖカウントスイッチ
２２３　　カウントスイッチ
２２４ａ　入賞口
２２４ｂ　入賞口
２２４ｃ　入賞口
２２５　　装飾ランプ
２２６　　アウト口
２２７　　スピーカ
２２８ａ　遊技効果ＬＥＤ
２２８ｂ　遊技効果ランプ
２２８ｃ　遊技効果ランプ
２２９　　可変表示制御ユニット
２３０　　誘導傾斜樋流入口
２３１　　遊技制御基板
２３２　　遊技制御基板ボックス
２３３　　球切れスイッチ
２３４　　下皿開口レバー
２３５　　ランプ制御基板
２３６　　機構板
２３７　　賞球制御基板
２３８　　球タンク
２３９　　誘導樋
２４０　　開口窓
２４１　　シリンダ錠
２４２　　待機球返却樋
２４３　　カーブ樋
２４４　　球供給樋
２４５　　球供給通路
２４６　　球抜き通路
２４７　　球抜き弁
２４８ａ　賞球用カウントスイッチ
２４８ｂ　貸出球カウントスイッチ
２４９　　玉ならし部材
２５０　　クロック発生部
２５１　　賞球ランプ
２５２　　玉切れランプ
２５３　　基本回路
２５４　　ＲＯＭ（リードオンメモリー）
２５５　　ＲＡＭ（ランダムアクセスメモリー）
２５６　　ＣＰＵ（セントラルプロセッシングユニット）
２５７　　Ｉ／Ｏポート
２５８　　スイッチ回路
２５９　　ソレノイド回路
２６０　　ランプ・ＬＥＤ回路
２６２　　接続ケーブル
２６３　　接続コネクタ
２６４　　第１情報出力回路
２６５　　定期リセット回路
２６６　　初期リセット回路
２６７　　アドレスデコード回路
２６８　　第２情報出力部
２６９　　役物装置
２６９ａ　可動片
２６９ｂ　ソレノイド
２６９ｃ　回転体
２６９ｄ　Ｖ入賞口
２６９ｅ　回転体駆動モータ
２６９ｆ　入賞球検出スイッチ
２６９ｇ　Ｖ球検出スイッチ
２７０　　音声制御基板
２７１　　余剰球通路
２７２　　電源ユニットボックス
２７３　　賞球通路
２７４　　上皿連通口
２７６　　入賞球誘導通路
２７７　　アウト球通路
２７８　　入賞球落下入口
２７９　　連通口
２８０　　表示制御基板
２８１　　凹部
２８２　　連通口
２８３　　誘導傾斜樋
２８３’　誘導傾斜樋
２８４　　横架突出板
２８５　　異常報知ランプ
２８６　　合流通路
２８７　　合流排出通路
２８８　　ファール球流入口
２８９　　ボックス樋
２９０　　枠用スイッチ中継基板
２９１　　発射揚送制御基板
２９２　　ランプモジュール
２９４　　流入口
２９５　　ファール球流路
２９６　　返却操作ボタン
２９７　　玉払出装置
２９８　　連通口
２９９ａ　入賞球検出スイッチ
２９９ｂ　入賞球検出スイッチ
２９９ｃ　入賞球検出スイッチ
３０１　　動作ランプ
３０２　　使用可能表示器
３０３　　連結台方向表示器
３１４　　カード挿入口
３１７　　カードリーダライタ
３１８　　記憶部
３１９　　Ｉ／Ｏポート
３２１　　マイクロプロセッシングユニット（ＭＰＵ）
３２５　　通信部
３３０　　発振回路
３３１　　報知ランプ駆動回路
３３２　　外部入力処理回路
３３３　　タッチセンサ入力回路
３３４　　単発発射スイッチ入力処理回路
３３５　　ゲートスイッチ
３３６　　ＡＮＤゲート回路
３３７　　同期監視ロジック回路
３３８　　発射モータ原点センサ入力回路
３３９　　揚送モータ原点センサ入力回路
３４０　　揚送モータ用ロジック回路
３４１　　発射モータ用ロジック回路
３４２　　揚送モータ用駆動出力段回路
３４３　　電流値設定回路
３４４　　発射モータ用駆動出力段回路
３４５　　電流値設定回路
３４６　　発射強度調整モータ用ロジック回路
３４７　　ハンドル角度検出回路
３４８　　発射強度調整モータ用駆動出力回路
３４９　　電流値設定回路
４００　　揚送ユニット
４０１　　下部ユニット
４０１’　ベース板
４０２　　揚送通路ケース
４０３　　揚送スクリュー
４０３ａ　外周部
４０４　　球通路部
４０５　　スクリュー収容部
４１０　　揚送モータ
４１０’　接続コネクタ
４１１　　受動ギア
４１２　　駆動ギア
４１３　　球供給スプロケット
４１４　　球収容部
４１５　　連結流路
４１６　　クランク流路
４１７　　球供給口
４２０　　待機球返却部
４２１　　開口
４２２　　スプリング
４２３　　スライド板
４２４　　連結棒
４２５　　開閉部
４２９　　ストッパー部
４３０　　スライド板
４３０’　スライド板
４３１　　係合部
４３２　　付勢バネ
４３３　　連通口
４３５　　係合突出部
４４０　　スプロケット位置検出センサ
４４１　　検出片
４５０　　カム位置検出センサ
４５１　　検出片
５００　　発射装置
５０１’　カム軸
５０１ａ　リフト用カム
５０１ｂ　発射用カム
５０２　　球リフトアーム
５０３　　発射アーム
５０４　　発射用スプリング
５０５　　スライド片
５０６　　リフト用スプリング
５０７　　ファール球通路弁
５０８　　発射レール
５０９　　発射路
５１０　　外装ケース
５１１　　カム駆動モータ
５１２　　発射強度調整モータ
６０１　　払出モータ
６０２　　振分ソレノイド
６０６　　スプロケット
６０７　　流路切替弁
【図１】
2004121734.tif 000003
【図２】
2004121734.tif 000004
【図３】
2004121734.tif 000005
【図４】
2004121734.tif 000006
【図５】
2004121734.tif 000007
【図６】
2004121734.tif 000008
【図７】
2004121734.tif 000009
【図８】
2004121734.tif 000010
【図９】
2004121734.tif 000011
【図１０】
2004121734.tif 000012
【図１１】
2004121734.tif 000013
【図１２】
2004121734.tif 000014
【図１３】
2004121734.tif 000015
【図１４】
2004121734.tif 000016
【図１５】
2004121734.tif 000017
【図１６】
2004121734.tif 000018
【図１７】
2004121734.tif 000019
【図１８】
2004121734.tif 000020
【図１９】
2004121734.tif 000021
【図２０】
2004121734.tif 000022
【図２１】
2004121734.tif 000023
【図２２】
2004121734.tif 000024
【図２３】
2004121734.tif 000025
【図２４】
2004121734.tif 000026
【図２５】
2004121734.tif 000027
【図２６】
2004121734.tif 000028
【図２７】
2004121734.tif 000029